(57)【特許請求の範囲】
【請求項１】
紙葉類を１枚ずつ搬送する搬送部と、
前記搬送部に設けられ、当該搬送部により搬送される前記紙葉類の切れ部分を検知する第１検知部と、
前記搬送部に接続され、当該搬送部から送られた前記紙葉類を収納するとともに収納された前記紙葉類を１枚ずつ前記搬送部に繰り出す紙葉類収納繰出装置と、
前記第１検知部により検知された前記紙葉類の切れ部分の位置に基づいて、当該第１検知部により検知が行われた前記紙葉類の搬送先を前記紙葉類収納繰出装置とそれ以外の箇所との間で切り替えるよう前記搬送部の制御を行う制御部と、
を備え、
前記紙葉類収納繰出装置は、複数の紙葉類を１枚ずつ巻き取るための帯状の巻取部材の一端がその外周面に接続された回転体を有しており、前記巻取部材が前記回転体の外周面に巻き取られることにより前記紙葉類が収納されるとともに前記巻取部材が前記回転体の外周面から巻き戻されることにより前記紙葉類が前記回転体から繰り出されるようになっている、紙葉類処理機。
【請求項２】
紙葉類を１枚ずつ搬送する搬送部と、
前記搬送部に設けられ、当該搬送部により搬送される前記紙葉類の切れ部分を検知する第１検知部と、
前記搬送部に接続され、当該搬送部から送られた前記紙葉類を収納するとともに収納された前記紙葉類を１枚ずつ前記搬送部に繰り出す紙葉類収納繰出装置と、
前記第１検知部により検知された前記紙葉類の切れ部分の位置に基づいて、当該第１検知部により検知が行われた前記紙葉類の搬送先を前記紙葉類収納繰出装置とそれ以外の箇所との間で切り替えるよう前記搬送部の制御を行う制御部と、
を備え、
前記制御部は、前記搬送部による前記紙葉類の搬送方向において当該紙葉類の後端縁に切れ部分が存在しない場合には、前記第１検知部により検知が行われた前記紙葉類を前記紙葉類収納繰出装置に搬送するよう前記搬送部を制御する、紙葉類処理機。
【請求項３】
紙葉類を１枚ずつ搬送する搬送部と、
前記搬送部に設けられ、当該搬送部により搬送される前記紙葉類の切れ部分を検知する第１検知部と、
前記搬送部に接続され、当該搬送部から送られた前記紙葉類を収納するとともに収納された前記紙葉類を１枚ずつ前記搬送部に繰り出す紙葉類収納繰出装置と、
前記第１検知部により検知された前記紙葉類の切れ部分の位置に基づいて、当該第１検知部により検知が行われた前記紙葉類の搬送先を前記紙葉類収納繰出装置とそれ以外の箇所との間で切り替えるよう前記搬送部の制御を行う制御部と、
を備え、
前記制御部は、前記搬送部による前記紙葉類の搬送方向において当該紙葉類の後端縁に切れ部分が存在する場合には、前記第１検知部により検知が行われた前記紙葉類を前記紙葉類収納繰出装置以外の箇所に搬送するよう前記搬送部を制御する、紙葉類処理機。
【請求項４】
前記制御部は、前記搬送部による前記紙葉類の搬送方向において当該紙葉類の後端縁に切れ部分が存在する場合には、前記第１検知部により検知が行われた前記紙葉類を、当該紙葉類の方向を変換するための方向変換部に搬送するよう前記搬送部を制御する、請求項３記載の紙葉類処理機。
【請求項５】
前記方向変換部は、前記紙葉類処理機の機体外に前記紙葉類を投出するための投出口からなり、当該投出口には、前記投出口に送られた前記紙葉類を前記搬送部に繰り出す繰出機構が設けられており、前記搬送部から前記投出口に送られた紙葉類が前記繰出機構により前記搬送部に戻されることにより当該紙葉類の方向が変換されるようになっている、請求項４記載の紙葉類処理機。
【請求項６】
前記制御部は、前記方向変換部において前記投出口から前記繰出機構により前記搬送部に繰り出された前記紙葉類を前記第１検知部に搬送し、当該第１検知部により前記紙葉類の切れ部分を再び検知させ、前記搬送部による前記紙葉類の搬送方向において当該紙葉類の後端縁に切れ部分が存在しない場合には、前記第１検知部により検知が行われた前記紙葉類を前記紙葉類収納繰出装置に搬送するよう前記搬送部を制御する、請求項５記載の紙葉類処理機。
【請求項７】
前記制御部は、前記搬送部による前記紙葉類の搬送方向において当該紙葉類の後端縁に切れ部分が存在する場合には、前記第１検知部により検知が行われた前記紙葉類を、前記紙葉類処理機の機体外に当該紙葉類を投出するための投出口に搬送するよう前記搬送部を制御する、請求項３記載の紙葉類処理機。
【請求項８】
前記第１検知部は、前記搬送部により搬送される前記紙葉類の幅方向における切れ部分の位置を検知するようになっており、
前記制御部は、前記搬送部による前記紙葉類の搬送方向において当該紙葉類の後端縁に切れ部分が存在する場合でも、当該紙葉類の幅方向における切れ部分の位置が前記紙葉類収納繰出装置の前記回転体の軸方向における前記巻取部材の位置と重なる場合には前記第１検知部により検知が行われた前記紙葉類を前記紙葉類収納繰出装置に搬送するよう前記搬送部を制御する、請求項１記載の紙葉類処理機。
【請求項９】
前記第１検知部は、前記搬送部により搬送される前記紙葉類の幅方向における切れ部分の位置を検知するようになっており、
前記制御部は、前記搬送部による前記紙葉類の搬送方向において当該紙葉類の後端縁に切れ部分が存在する場合において、当該紙葉類の幅方向における切れ部分の位置が前記紙葉類収納繰出装置の前記回転体の軸方向における前記巻取部材の位置と重ならない場合には前記第１検知部により検知が行われた前記紙葉類を前記紙葉類収納繰出装置以外の箇所に搬送するよう前記搬送部を制御する、請求項１記載の紙葉類処理機。
【発明の詳細な説明】
【技術分野】
【０００１】
本発明は、搬送部から送られた紙葉類を収納するとともに収納された紙葉類を１枚ずつ搬送部に繰り出す紙葉類収納繰出装置を備えた紙葉類処理機に関する。
【背景技術】
【０００２】
従来から、金融機関等に設置されるＡＴＭ（現金自動預け払い機）等の現金自動取引装置に用いられる紙幣入出金機として例えば特許文献１等に開示されるものが知られている。特許文献１等に開示されるような従来の紙幣入出金機では、顧客が入出金口に投入した紙幣が機体内に１枚ずつ繰り出され、紙幣判別部で金種や真偽等の判別が行われるようになっており、金種や真偽が確定した紙幣は一時保留部に収納され、一方、入金不可能な紙幣は利用者に返却される。そして、取引成立後に、一時保留部に収納された紙幣は当該一時保留部から繰り出され、金種別の紙幣収納繰出部に収納される。このような紙幣入出金機では、一時保留部として、ドラムの外周面にその一端が接続された帯状のテープによって紙幣を１枚ずつテープごと当該ドラムに巻き取るようなテープ式のものが用いられている。
【先行技術文献】
【特許文献】
【０００３】
【特許文献１】特開２００８−１７１４５１号公報
【発明の概要】
【発明が解決しようとする課題】
【０００４】
特許文献１等に開示されるような従来技術の紙幣入出金機において、顧客が入出金口に投入した紙幣の状態が悪く、一時保留部において帯状のテープとともにドラムに巻き取られた紙幣の端縁部が切れていた場合には、このような紙幣がドラムから繰り出される際に、テープから放出される前の紙幣がその切れた部分で折られて帯状のテープを両側から挟み込んでしまうことがある。このような場合には、一時保留部の出口部において、紙幣におけるテープに折り込まれた部分が当該テープと案内ローラとの間に挟まれることにより、紙幣がその切れた部分から破れてしまったり向きが大きく変わってしまったりするおそれがあり、このような場合には紙幣が一時保留部の出口部分で滞留してしまい紙幣入出金機が休止してしまうという問題があった。
【０００５】
本発明は、このような点を考慮してなされたものであり、紙葉類収納繰出装置から繰り出したときに出口部において破れてしまったり向きが大きく変わってしまったりするおそれがある紙葉類については当該紙葉類収納繰出装置に搬送しないようにすることによりこの紙葉類収納繰出装置の出口部分で紙葉類が滞留してしまうことを防止することができる紙葉類処理機を提供することを目的とする。
【課題を解決するための手段】
【０００７】
本発明の紙葉類処理機は、紙葉類を１枚ずつ搬送する搬送部と、前記搬送部に設けられ、当該搬送部により搬送される前記紙葉類の切れ部分を検知する第１検知部と、前記搬送部に接続され、当該搬送部から送られた前記紙葉類を収納するとともに収納された前記紙葉類を１枚ずつ前記搬送部に繰り出す紙葉類収納繰出装置と、前記第１検知部により検知された前記紙葉類の切れ部分の位置に基づいて、当該第１検知部により検知が行われた前記紙葉類の搬送先を前記紙葉類収納繰出装置とそれ以外の箇所との間で切り替えるよう前記搬送部の制御を行う制御部と、を備え、前記紙葉類収納繰出装置は、複数の紙葉類を１枚ずつ巻き取るための帯状の巻取部材の一端がその外周面に接続された回転体を有しており、前記巻取部材が前記回転体の外周面に巻き取られることにより前記紙葉類が収納されるとともに前記巻取部材が前記回転体の外周面から巻き戻されることにより前記紙葉類が前記回転体から繰り出されるようになっていることを特徴とする。
また、本発明の紙葉類処理機は、紙葉類を１枚ずつ搬送する搬送部と、前記搬送部に設けられ、当該搬送部により搬送される前記紙葉類の切れ部分を検知する第１検知部と、前記搬送部に接続され、当該搬送部から送られた前記紙葉類を収納するとともに収納された前記紙葉類を１枚ずつ前記搬送部に繰り出す紙葉類収納繰出装置と、前記第１検知部により検知された前記紙葉類の切れ部分の位置に基づいて、当該第１検知部により検知が行われた前記紙葉類の搬送先を前記紙葉類収納繰出装置とそれ以外の箇所との間で切り替えるよう前記搬送部の制御を行う制御部と、を備え、前記制御部は、前記搬送部による前記紙葉類の搬送方向において当該紙葉類の後端縁に切れ部分が存在しない場合には、前記第１検知部により検知が行われた前記紙葉類を前記紙葉類収納繰出装置に搬送するよう前記搬送部を制御することを特徴とする。
また、本発明の紙葉類処理機は、紙葉類を１枚ずつ搬送する搬送部と、前記搬送部に設けられ、当該搬送部により搬送される前記紙葉類の切れ部分を検知する第１検知部と、前記搬送部に接続され、当該搬送部から送られた前記紙葉類を収納するとともに収納された前記紙葉類を１枚ずつ前記搬送部に繰り出す紙葉類収納繰出装置と、前記第１検知部により検知された前記紙葉類の切れ部分の位置に基づいて、当該第１検知部により検知が行われた前記紙葉類の搬送先を前記紙葉類収納繰出装置とそれ以外の箇所との間で切り替えるよう前記搬送部の制御を行う制御部と、を備え、前記制御部は、前記搬送部による前記紙葉類の搬送方向において当該紙葉類の後端縁に切れ部分が存在する場合には、前記第１検知部により検知が行われた前記紙葉類を前記紙葉類収納繰出装置以外の箇所に搬送するよう前記搬送部を制御することを特徴とする。
【０００８】
このような紙葉類処理機によれば、紙葉類収納繰出装置に紙葉類が搬送される前に当該紙葉類の切れ部分の位置を第１検知部によって検知することによって、所定の位置に切れ部分があり紙葉類収納繰出装置から繰り出したときに出口部において破れてしまったり向きが大きく変わってしまったりするおそれがある紙葉類については当該紙葉類収納繰出装置に搬送しないようにすることによりこの紙葉類収納繰出装置の出口部分で紙葉類が滞留してしまうことを防止することができる。
【００１２】
この場合、前記制御部は、前記搬送部による前記紙葉類の搬送方向において当該紙葉類の後端縁に切れ部分が存在する場合には、前記第１検知部により検知が行われた前記紙葉類を、当該紙葉類の方向を変換するための方向変換部に搬送するよう前記搬送部を制御するようになっていてもよい。
【００１３】
また、前記方向変換部は、前記紙葉類処理機の機体外に前記紙葉類を投出するための投出口からなり、当該投出口には、前記投出口に送られた前記紙葉類を前記搬送部に繰り出す繰出機構が設けられており、前記搬送部から前記投出口に送られた紙葉類が前記繰出機構により前記搬送部に戻されることにより当該紙葉類の方向が変換されるようになっていてもよい。
【００１４】
また、前記制御部は、前記方向変換部において前記投出口から前記繰出機構により前記搬送部に繰り出された前記紙葉類を前記第１検知部に搬送し、当該第１検知部により前記紙葉類の切れ部分を再び検知させ、前記搬送部による前記紙葉類の搬送方向において当該紙葉類の後端縁に切れ部分が存在しない場合には、前記第１検知部により検知が行われた前記紙葉類を前記紙葉類収納繰出装置に搬送するよう前記搬送部を制御するようになっていてもよい。
【００１５】
また、前記制御部は、前記搬送部による前記紙葉類の搬送方向において当該紙葉類の後端縁に切れ部分が存在する場合には、前記第１検知部により検知が行われた前記紙葉類を、前記紙葉類処理機の機体外に当該紙葉類を投出するための投出口に搬送するよう前記搬送部を制御するようになっていてもよい。
【００１６】
上記の紙葉類処理機においては、前記第１検知部は、前記搬送部により搬送される前記紙葉類の幅方向における切れ部分の位置を検知するようになっており、前記制御部は、前記搬送部による前記紙葉類の搬送方向において当該紙葉類の後端縁に切れ部分が存在する場合でも、当該紙葉類の幅方向における切れ部分の位置が前記紙葉類収納繰出装置の前記回転体の軸方向における前記巻取部材の位置と重なる場合には前記第１検知部により検知が行われた前記紙葉類を前記紙葉類収納繰出装置に搬送するよう前記搬送部を制御するようになっていてもよい。
【００１７】
上記の紙葉類処理機においては、前記第１検知部は、前記搬送部により搬送される前記紙葉類の幅方向における切れ部分の位置を検知するようになっており、前記制御部は、前記搬送部による前記紙葉類の搬送方向において当該紙葉類の後端縁に切れ部分が存在する場合において、当該紙葉類の幅方向における切れ部分の位置が前記紙葉類収納繰出装置の前記回転体の軸方向における前記巻取部材の位置と重ならない場合には前記第１検知部により検知が行われた前記紙葉類を前記紙葉類収納繰出装置以外の箇所に搬送するよう前記搬送部を制御するようになっていてもよい。
【００１８】
本発明の紙葉類処理機は、紙葉類を１枚ずつ搬送する搬送部と、前記搬送部に設けられ、当該搬送部により搬送される前記紙葉類の幅方向における所定箇所の位置を検知する第２検知部と、前記搬送部に接続され、当該搬送部から送られた前記紙葉類を収納するとともに収納された前記紙葉類を１枚ずつ前記搬送部に繰り出す紙葉類収納繰出装置と、前記第２検知部により検知された前記紙葉類の所定箇所の位置に基づいて、当該第２検知部により検知が行われた前記紙葉類の搬送先を前記紙葉類収納繰出装置とそれ以外の箇所との間で切り替えるよう前記搬送部の制御を行う制御部と、を備えたことを特徴とする。
【００１９】
このような紙葉類処理機によれば、紙葉類収納繰出装置に紙葉類が搬送される前に当該紙葉類の幅方向における所定箇所の位置を第２検知部によって検知することにより、紙葉類収納繰出装置から繰り出したときに出口部において破れてしまったり向きが大きく変わってしまったりするおそれがある紙葉類については当該紙葉類収納繰出装置に搬送しないようにすることによりこの紙葉類収納繰出装置の出口部分で紙葉類が滞留してしまうことを防止することができる。
【００２０】
上記の紙葉類処理機においては、前記紙葉類収納繰出装置は、複数の紙葉類を１枚ずつ巻き取るための帯状の巻取部材の一端がその外周面に接続された回転体を有しており、前記巻取部材が前記回転体の外周面に巻き取られることにより前記紙葉類が収納されるとともに前記巻取部材が前記回転体の外周面から巻き戻されることにより前記紙葉類が前記回転体から繰り出されるようになっていてもよい。
【００２１】
この場合、前記制御部は、前記紙葉類の幅方向における所定箇所の位置が前記紙葉類収納繰出装置の前記回転体の軸方向における前記巻取部材の位置と重なる場合には前記第２検知部により検知が行われた前記紙葉類を前記紙葉類収納繰出装置に搬送するよう前記搬送部を制御するようになっていてもよい。
【００２２】
また、前記制御部は、前記紙葉類の幅方向における所定箇所の位置が前記紙葉類収納繰出装置の前記回転体の軸方向における前記巻取部材の位置と重ならない場合には前記第２検知部により検知が行われた前記紙葉類を前記紙葉類収納繰出装置以外の箇所に搬送するよう前記搬送部を制御するようになっていてもよい。
【００２３】
また、前記第２検知部は、前記搬送部により搬送される前記紙葉類の幅方向における所定箇所の位置として当該紙葉類の幅方向における中央部分の位置を検知するようになっていてもよい。
【００２４】
本発明の紙幣処理機は、紙幣を１枚ずつ搬送する搬送部と、前記搬送部に設けられ、当該搬送部により搬送される前記紙幣の表裏を検知する第３検知部と、前記搬送部に接続され、当該搬送部から送られた前記紙幣を積層状態で集積する集積部と、前記第３検知部により検知された前記紙幣の表裏情報に基づいて、当該第３検知部により検知が行われた前記紙幣の搬送先を前記集積部とそれ以外の箇所との間で切り替えるよう前記搬送部の制御を行う制御部と、を備えたことを特徴とする。
【００２５】
このような紙幣処理機によれば、紙幣が積層状態で集積される集積部に紙幣が搬送される前に当該紙幣の表裏を第３検知部によって検知することにより、集積部に積層状態で集積される１または複数の紙幣のうち最上層の紙幣において偽造防止部材が設けられた面が上を向かないようにすることができ、よって集積部に送られた紙幣の先端部が既に集積部に集積されている紙幣の偽造防止部材の部分に引っかかって集積不良が発生することを防止することができる。
【００２６】
上記の紙幣処理機は、前記第３検知部により検知が行われた前記紙幣の表裏を変換する表裏変換部を更に備え、前記制御部は、前記第３検知部により検知された前記紙幣の表裏の向きが所定の向きではない場合には、当該第３検知部により検知が行われた前記紙幣の表裏を前記表裏変換部により変換させるよう当該表裏変換部の制御を行うようになっていてもよい。
【００２７】
この場合、前記制御部は、前記表裏変換部により表裏が変換された前記紙幣を前記第３検知部に搬送し、当該第３検知部により前記紙幣の表裏を再び検知させ、前記第３検知部により検知された前記紙幣の表裏の向きが所定の向きとなった場合には、前記第３検知部により検知が行われた前記紙幣を前記集積部に搬送するよう前記搬送部を制御するようになっていてもよい。
【００２８】
上記の紙幣処理機においては、前記紙幣処理機により処理される前記紙幣は、その表面に偽造防止部材が形成された紙幣を含むようになっていてもよい。
【発明の効果】
【００２９】
本発明の紙葉類処理機によれば、紙葉類収納繰出装置から繰り出したときに出口部において破れてしまったり向きが大きく変わってしまったりするおそれがある紙葉類については当該紙葉類収納繰出装置に搬送しないようにすることによりこの紙葉類収納繰出装置の出口部分で紙葉類が滞留してしまうことを防止することができる。
【図面の簡単な説明】
【００３１】
【図１】本発明の実施の形態による紙葉類処理機の内部を側方から見たときの構成を模式的に示す構成図である。
【図２】図１に示す紙葉類処理機に設けられた一時保留部の構成の詳細を示す側面図である。
【図３】図１に示す紙葉類処理機に設けられた一時保留部の構成の詳細を示す側面図である。
【図４】図１に示す紙葉類処理機に設けられた一時保留部の構成の詳細を示す側面図である。
【図５】図２等に示す一時保留部の構成を示す斜視図である。
【図６】図５に示す一時保留部を上方から見たときの構成を示す上面図である。
【図７】図５に示す一時保留部を前方から見たときの構成を示す正面図である。
【図８】図２等に示す一時保留部における駆動系の構成を示す斜視図である。
【図９】（ａ）は、図５に示す一時保留部における３本のテープのうち中央のテープの搬送経路を示す側面図であり、（ｂ）は、図５に示す一時保留部における３本のテープのうち両側の各テープの搬送経路を示す側面図である。
【図１０】図５等に示す一時保留部に設けられた案内部の構成を示す斜視図である。
【図１１】図１０に示す案内部を別の角度から見たときの構成を示す斜視図である。
【図１２】図５等に示す一時保留部に設けられたスクレーパ部材の構成を示す斜視図である。
【図１３】図１２に示すスクレーパ部材を前方から見たときの構成を示す正面図である。
【図１４】図５等に示す一時保留部に設けられたスクレーパ部材の他の構成を示す斜視図である。
【図１５】図１４に示すスクレーパ部材を前方から見たときの構成を示す正面図である。
【図１６】図１に示す紙葉類処理機の制御系の構成を示す機能ブロック図である。
【図１７】図１に示す紙葉類処理機の機体内で搬送される紙葉類に形成された切れ部分と一時保留部に設けられた各テープとの間の位置関係を示す図である。
【図１８】（ａ）（ｂ）は、図１に示す紙葉類処理機の一時保留部において帯状のテープとともにドラムに巻き取られた紙幣の端縁部が切れており、テープから放出される前の紙幣がその切れた部分で折られて帯状のテープを両側から挟み込んでしまったときの状態を示す図である。
【図１９】従来技術のスクレーパ部材の構成を示す正面図である。
【図２０】変形例に係る一時保留部の構成を示す斜視図である。
【図２１】図２０に示す一時保留部の構成の詳細を示す側面図である。
【図２２】別の変形例に係る一時保留部の構成を示す斜視図である。
【図２３】更に別の変形例に係る一時保留部の構成を示す側面図である。
【図２４】更に別の変形例に係る紙葉類収納繰出装置の構成を示す側面図である。
【図２５】比較例としての従来技術の紙葉類収納繰出装置の構成を示す側面図である。
【図２６】更に別の変形例に係る紙葉類収納繰出装置の構成を示す側面図である。
【図２７】更に別の変形例に係る紙葉類収納繰出装置の構成を示す側面図である。
【図２８】図２６や図２７に示す紙葉類収納繰出装置の構成を示す斜視図である。
【図２９】比較例としての従来技術の紙葉類収納繰出装置の構成を示す側面図である。
【図３０】比較例としての従来技術の紙葉類収納繰出装置の構成を示す側面図である。
【図３１】図２９や図３０に示す紙葉類収納繰出装置の構成を示す斜視図である。
【図３２】図１に示す紙葉類処理機に設けられた搬送部の構成の詳細を示す構成図である。
【図３３】図１に示す紙葉類処理機において制御部による搬送部のモータの制御内容を示すグラフであって、横軸は時刻を示し、縦軸はモータの回転速度（具体的には、制御部により搬送部のモータに与えられる回転速度の指令値）を示すグラフである。
【発明を実施するための形態】
【００３２】
以下、図面を参照して本発明の実施の形態について説明する。図１乃至図１８は、本実施の形態による紙葉類処理機およびこの紙葉類処理機に設けられた紙葉類収納繰出装置（具体的には、一時保留部）を示す図である。
【００３３】
まず、本実施の形態による紙葉類処理機１０の全体構成について図１を用いて説明する。図１に示すように、本実施の形態による紙葉類処理機１０は、略直方体形状の筐体１２を備えており、この筐体１２の前面（すなわち、図１における左側部）には、当該筐体１２の外部から内部に紙幣や小切手、手形等の紙葉類を投入したり筐体１２の内部から外部に紙葉類を投出したりするための入出金部１４が設けられている。入出金部１４には、当該入出金部１４に積層状態で投入された複数の紙葉類を１枚ずつ筐体１２の内部に繰り出すための第１繰出機構１６が設けられている。また、入出金部１４には紙葉類を１枚ずつ搬送する搬送部２０が接続されており、第１繰出機構１６により入出金部１４から繰り出された紙葉類は搬送部２０により１枚ずつ搬送されるようになっている。また、入出金部１４には第１繰出機構１６とは別に第２繰出機構１８が設けられており、搬送部２０から入出金部１４に戻された紙葉類を当該第２繰出機構１８により再び搬送部２０に繰り出すことができるようになっている。ここで、入出金部１４には、第１繰出機構１６に向かう方向および第１繰出機構１６から遠ざかる方向（すなわち、第２繰出機構１８に向かう方向）にそれぞれ移動可能となっている仕切部材１４ａが設けられており、当該仕切部材１４ａにより入出金部１４は２つの領域（具体的には、第１繰出機構１６側の投入口および第２繰出機構１８側の投出口）に区切られるようになっている。また、搬送部２０の途中箇所には当該搬送部２０により搬送される紙葉類の識別を行う識別部２２が設けられている。具体的には、識別部２２にはイメージセンサが設けられており、当該イメージセンサにより取得された紙葉類の表面の画像に基づいて当該紙葉類の金額（紙幣の場合は金種）、真偽、正損等の情報が取得されるようになっている。このような識別部２２の構成の詳細については後述する。
【００３４】
また、図１に示すように、搬送部２０には一時保留部４０が接続されている。一時保留部４０は、搬送部２０から送られた紙葉類を１枚ずつ収納するとともに収納された紙葉類を１枚ずつ搬送部２０に繰り出すようになっている。入出金部１４から第１繰出機構１６により搬送部２０に繰り出され、識別部２２により識別された紙葉類は当該搬送部２０により一時保留部４０に送られ、この一時保留部４０で一時的に保留されるようになっている。このような一時保留部４０の構成の詳細については後述する。
【００３５】
また、搬送部２０には、当該搬送部２０により搬送される紙葉類を搬送路の幅方向における中央位置等の所定位置に寄せるための幅方向位置合わせ部２４が設けられており、一時保留部４０から搬送部２０に繰り出された紙葉類は当該幅方向位置合わせ部２４により搬送路の幅方向における位置が中央位置等の所定位置に寄せられるようになっている。
【００３６】
また、搬送部２０には、識別部２２により偽券であると識別された紙幣や真偽が不確定であると識別された紙幣が収納される偽券収納部２６が接続されている。
【００３７】
また、本実施の形態では、識別部２２により正常な紙葉類ではないと識別されたリジェクト紙葉類を搬送部２０により入出金部１４（厳密には、仕切部材１４ａよりも第２繰出機構１８側の投出口）に戻すことができるようになっている。このように、入出金部１４は仕切部材１４ａにより投入口および投出口に区切られているため、搬送部２０から入出金部１４に戻された紙葉類は、第１繰出機構１６により搬送部２０に繰り出されるべき紙葉類が集積される箇所とは別の箇所に集積されるようになっている。
【００３８】
また、搬送部２０には複数の紙葉類収納繰出部３０が接続されており、各紙葉類収納繰出部３０は搬送部２０から送られた紙葉類を積層状態で収納することができるようになっている。また、各紙葉類収納繰出部３０には繰出機構３１が設けられており、各紙葉類収納繰出部３０に収納された紙葉類は当該繰出機構３１により搬送部２０に繰り出すことができるようになっている。これらの紙葉類収納繰出部３０は、概ねリサイクル用のものとして用いられるようになっている。すなわち、紙葉類のリサイクル処理として、紙葉類の出金処理時に各紙葉類収納繰出部３０に収納された紙葉類を繰出機構３１により搬送部２０に繰り出して入出金部１４（厳密には、仕切部材１４ａよりも第２繰出機構１８側の投出口）に送るようになっている。
【００３９】
また、搬送部２０には複数の紙葉類収納繰出部３２が接続されており、各紙葉類収納繰出部３２は搬送部２０から送られた紙葉類を積層状態で収納することができるようになっている。また、各紙葉類収納繰出部３２には繰出機構３３が設けられており、各紙葉類収納繰出部３２に収納された紙葉類は当該繰出機構３３により搬送部２０に繰り出すことができるようになっている。これらの紙葉類収納繰出部３２は、概ね入金専用のものとして用いられるようになっている。
【００４０】
次に、このような紙葉類処理機１０における一時保留部４０の構成の詳細について図２乃至図１５を用いて説明する。本実施の形態では、一時保留部４０は、並列に設けられた３本の帯状のテープ９０、９２、９４をドラム４２に巻き取ることによって複数の紙葉類を１枚ずつドラム４２に収納するとともに、ドラム４２から各テープ９０、９２、９４を巻き戻すことによって紙葉類を１枚ずつドラム４２から巻き出す方式のテープ式紙葉類収納繰出装置からなる。
【００４１】
図２乃至図４は、それぞれ、図１に示す紙葉類処理機１０に設けられた一時保留部４０の構成の詳細を示す側面図である。なお、図２は、一時保留部４０のドラム４２に紙葉類が１枚も巻き取られていないときの状態を示す図であり、図３は、図２に示す状態から一時保留部４０のドラム４２にある程度の量の紙葉類が巻き取られたときの状態を示す図であり、図４は、図３に示す状態から一時保留部４０のドラム４２に紙葉類が更に巻き取られたときの状態を示す図である。また、図５は、図２等に示す一時保留部４０の構成を示す斜視図であり、図６は、図５に示す一時保留部４０を上方から見たときの構成を示す上面図であり、図７は、図５に示す一時保留部４０を前方から見たときの構成を示す正面図である。また、図８は、図２等に示す一時保留部４０における駆動系の構成を示す斜視図である。また、図９（ａ）は、図５に示す一時保留部４０における３本のテープ９０、９２、９４のうち中央のテープ９２の搬送経路を示す側面図であり、図９（ｂ）は、図５に示す一時保留部４０における３本のテープ９０、９２、９４のうち両側の各テープ９０、９４の搬送経路を示す側面図である。
【００４２】
図２乃至図８に示すように、一時保留部４０は、回転自在となっているドラム４２と、その一端がそれぞれドラム４２の外周面に接続された３本の帯状のテープ９０、９２、９４と、回転自在となっており各テープ９０、９２、９４の他端がその外周面に接続されたテープリール５８とを有している。ここで、図５乃至図８に示すように、各テープ９０、９２、９４は、ドラム４２の軸４２ａの延びる方向に沿って並ぶよう配置されている。
【００４３】
ドラム４２は軸４２ａを中心として図２乃至図４における時計回りの方向および反時計回りの方向の両方に回転することができるようになっている。具体的には、搬送部２０から一時保留部４０に送られた紙葉類をドラム４２に収納する際には、当該ドラム４２は図２乃至図４における反時計回りの方向に回転し、ドラム４２の近傍に送られた紙葉類が各テープ９０、９２、９４とともにドラム４２に巻き取られるようになる。一方、ドラム４２に収納された紙葉類を搬送部２０に繰り出す際には、当該ドラム４２は図２乃至図４における時計回りの方向に回転し、ドラム４２から各テープ９０、９２、９４を巻き戻すことによってこれらの各テープ９０、９２、９４から紙葉類が解放されて搬送部２０に送られるようになる。なお、本実施の形態では、一時保留部４０において紙葉類は当該紙葉類の短手方向に沿って搬送されてドラム４２に巻き取られるようになっている。
【００４４】
また、図２乃至図４に示すように、一時保留部４０には、ドラム４２を回転駆動させる駆動モータ６４が設けられている。より詳細には、図８に示すように、駆動モータ６４には回転軸を介してプーリ６４ａが接続されており、このプーリ６４ａには駆動ベルト６９が掛け渡されている。また、ドラム４２の軸４２ａにもプーリ４２ｂが接続されており、このプーリ４２ｂに上記の駆動ベルト６９が掛け渡されている。このことにより、駆動モータ６４がプーリ６４ａを回転駆動させると、駆動ベルト６９を介して駆動モータ６４による回転駆動力が軸４２ａに伝達され、ドラム４２が回転駆動されるようになる。
【００４５】
図２乃至図４に示すように、一時保留部４０には、各テープ９０、９２、９４を案内するための案内ローラ５２、５４が設けられており、これらの案内ローラ５２、５４により、ドラム４２とテープリール５８との間で各テープ９０、９２、９４が案内されるようになっている。また、一時保留部４０には、上記の案内ローラ５２、５４に加えて、３本のテープ９０、９２、９４のうち両側の各テープ９０、９４を案内するための案内ローラ５０、５６が設けられており、これらの案内ローラ５０、５６により各テープ９０、９４が案内されるようになっている。また、図２乃至図４、図８および図９に示すように、案内ローラ５０および案内ローラ５６の軸を支持する略三角形形状の支持板５７が設けられている。
【００４６】
より詳細には、図９（ａ）に示すように、３本のテープ９０、９２、９４のうち中央のテープ９２は案内ローラ５２、５４によりドラム４２とテープリール５８との間で搬送されるようになっており、ドラム４２が図２乃至図４において反時計回りの方向に回転するとテープリール５８から巻き出されたテープ９２が案内ローラ５４および案内ローラ５２を順に経てドラム４２に巻き取られるようになる。また、テープリール５８が図２乃至図４において時計回りの方向に回転するとドラム４２から巻き出されたテープ９２が案内ローラ５２および案内ローラ５４を順に経てテープリール５８に巻き取られるようになる。また、図９（ｂ）に示すように、３本のテープ９０、９２、９４のうち両側のテープ９０、９４はそれぞれ案内ローラ５２、５４によりドラム４２とテープリール５８との間で搬送されるとともに、案内ローラ５０、５６によりドラム４２の周囲で搬送されるようになっている。ここで、ドラム４２が図２乃至図４において反時計回りの方向に回転するとテープリール５８から巻き出された各テープ９０、９４が案内ローラ５４および案内ローラ５２を順に経てドラム４２の約半周分だけ当該ドラム４２に巻かれ、各テープ９０、９４は更に案内ローラ５６および案内ローラ５０を順に経てドラム４２に巻き取られるようになる。このことにより、搬送部２０から一時保留部４０に送られた紙葉類が案内ローラ５０、５２の間を通過すると、この紙葉類は一対のテープ９０の間および一対のテープ９４の間にそれぞれ挟まれるようになり、各テープ９０、９４に挟まれた状態で当該紙葉類は各テープ９０、９４ごとドラム４２に巻き取られるようになる。また、テープリール５８が図２乃至図４において時計回りの方向に回転するとドラム４２から巻き出された各テープ９０、９４が案内ローラ５０および案内ローラ５６を順に経てドラム４２の約半周分だけ当該ドラム４２に巻かれ、各テープ９０、９４は更に案内ローラ５４および案内ローラ５２を順に経てテープリール５８に巻き取られるようになる。
【００４７】
また、図２乃至図４に示すように、テープリール５８には、当該テープリール５８と同期して回転する検知板６０が取り付けられている。なお、図８に示すように、検知板６０は各テープ９０、９２、９４に対応して複数（具体的には、例えば３つ）設けられている。また、検知板６０の近傍には、当該検知板６０の回転量を検知する検知板回転量検知器としてフォトインタラプタ６２が設けられている。より詳細には、検知板６０には複数の貫通穴６０ａが設けられており、また、フォトインタラプタ６２は検知板６０の外周縁を挟んで配置された発光素子および受光素子を有している。そして、検知板６０が回転すると、この検知板６０に設けられた各貫通穴６０ａにより、フォトインタラプタ６２における発光素子と受光素子との間の光軸が断続的に透光されるようになっている。このように、検知板６０が回転するとフォトインタラプタ６２は透光状態および遮光状態を繰り返すようになるが、この透光状態および遮光状態の切り替わりの回数（パルス数）に基づいてフォトインタラプタ６２は検知板６０の回転量を検知するようになる。
【００４８】
また、図８に示すように、各検知板６０の側面には、各々の検知板６０に対応してトルクリミッタ５８ｂが設けられている。なお、図８では１つのトルクリミッタ５８ｂしか図示されていないが、実際には３つの検知板６０の各々に対応するよう３つのトルクリミッタ５８ｂが設けられている。また、トルクリミッタ５８ｂの内側部分は図示しないピン等により軸５８ａに固定されており、当該トルクリミッタ５８ｂの内側部分は軸５８ａと一体的に回転するようになっている。一方、トルクリミッタ５８ｂの外側部分は検知板６０の側面に固定されており、当該トルクリミッタ５８ｂの外側部分は検知板６０やテープリール５８と一体的に回転するようになっている。また、検知板６０やテープリール５８は軸５８ａに対して回転自在となっている。そして、トルクリミッタ５８ｂにおいて、当該トルクリミッタ５８ｂの内側部分や外側部分に加えられる外力（回転駆動力）がこれらの内側部分および外側部分の間の回転抵抗よりも小さい場合はトルクリミッタ５８ｂの内側部分および外側部分は一体的に回転するが、上記の外力がトルクリミッタ５８ｂの内側部分および外側部分の間の回転抵抗よりも大きい場合はこれらの内側部分および外側部分は互いに対して一定荷重の回転抵抗でスリップしながら回転するようになる。また、軸５８ａには上記の駆動ベルト６９が掛け渡されるプーリ５８ｃが接続されており、このプーリ５８ｃにはワンウェイクラッチ（図示せず）が内蔵されている。
【００４９】
ドラム４２が各テープ９０、９２、９４を巻き取る方向に駆動モータ６４がプーリ６４ａを回転駆動させて駆動ベルト６９を循環移動させた場合には、プーリ５８ｃに内蔵されたワンウェイクラッチにより駆動ベルト６９による駆動力は軸５８ａに伝達されず、当該軸５８ａは回転しないようになる。この場合には、ドラム４２が図２乃至図４における反時計回りの方向に回転することによって当該ドラム４２に各テープ９０、９２、９４が巻き取られ、これらのテープ９０、９２、９４の巻き取り動作によりテープリール５８も図２乃至図４における反時計回りの方向に回転するようになるが、この際に、トルクリミッタ５８ｂにおいて外側部分に加えられる外力（回転駆動力）が当該トルクリミッタ５８ｂの内側部分および外側部分の間の回転抵抗よりも大きくなることによりトルクリミッタ５８ｂの外側部分は内側部分に対して一定荷重の回転抵抗でスリップしながら回転するようになる。一方、テープリール５８が各テープ９０、９２、９４を巻き取る方向に駆動モータ６４がプーリ６４ａを回転駆動させて駆動ベルト６９を循環移動させた場合には、駆動ベルト６９による駆動力が軸５８ａに伝達され、トルクリミッタ５８ｂを介して回転駆動力がテープリール５８に伝達されることにより当該テープリール５８が回転駆動されるようになる。この場合には、テープリール５８が図２乃至図４における時計回りの方向に回転することによってドラム４２から各テープ９０、９２、９４が巻き出され、このような各テープ９０、９２、９４の巻き出し動作によりドラム４２も図２乃至図４における時計回りの方向に回転するようになるが、テープリール５８による各テープ９０、９２、９４の巻き取り速度がドラム４２からの各テープ９０、９２、９４の巻き出し速度よりも常に大きくなるようプーリ４２ｂ、５８ｃのギヤ比が設定されていることにより、各テープ９０、９２、９４の張力が維持されるようになっている。また、この際に、トルクリミッタ５８ｂにおいて内側部分に加えられる外力（回転駆動力）が当該トルクリミッタ５８ｂの内側部分および外側部分の間の回転抵抗よりも大きくなることによりトルクリミッタ５８ｂの内側部分は外側部分に対して一定荷重の回転抵抗でスリップしながら回転するようになる。
【００５０】
また、図２乃至図４に示すように、一時保留部４０には、搬送部２０から当該一時保留部４０に送られた紙葉類をドラム４２に案内したりドラム４２から繰り出された紙葉類を搬送部２０に案内したりするための案内ローラ６５、６６、６７、６８が設けられている。より詳細には、一対の案内ローラ６５、６６は、その外周面が互いに接触するよう対向して配置されており、また、一対の案内ローラ６７、６８は、その外周面が互いに接触するよう対向して配置されている。そして、搬送部２０から一時保留部４０に送られた紙葉類はまず一対の案内ローラ６５、６６の間を通過し、次に一対の案内ローラ６７、６８の間を通過した後、各テープ９０、９２、９４によりドラム４２に巻き取られるようになる。また、図２乃至図４においてドラム４２が時計回りの方向に回転すると、このドラム４２から各テープ９０、９２、９４が巻き戻されることによりこれらのテープ９０、９２、９４から紙葉類が放出され、放出された紙葉類はまず一対の案内ローラ６７、６８の間を通過し、次に一対の案内ローラ６５、６６の間を通過した後、搬送部２０に送られるようになる。
【００５１】
また、図２乃至図４に示すように、一時保留部４０において、ドラム４２に巻かれた各テープ９０、９２、９４を囲むよう当該ドラム４２の周縁部には可動ガイド８２が設けられている。この可動ガイド８２は、案内ローラ５２の軸と同軸で設けられた軸８３を中心として回転するようになっている。また、軸８３を中心として可動ガイド８２を図２乃至図４における反時計回りの方向に付勢するバネ８９等（図７参照）の付勢手段が設けられている。また、可動ガイド８２には、ドラム４２に巻かれた紙葉類を当該ドラム４２の軸４２ａ側に向かって押圧するベアリング８４が設けられている。バネ８９等の付勢手段により可動ガイド８２が軸８３を中心として図２乃至図４における反時計回りの方向に付勢されることにより、ベアリング８４が図２乃至図４における上方向に押圧され、このことによりドラム４２に巻かれた紙葉類が当該ベアリング８４によりこのドラム４２の軸４２ａ側に向かって押圧されるようになる。また、バネ８９等の付勢手段により可動ガイド８２が軸８３を中心として図２乃至図４における反時計回りの方向に付勢されるようになっているため、ドラム４２に巻き取られた紙葉類が当該ドラム４２から巻き戻されることにより各テープ９０、９２、９４の外部径が小さくなってもベアリング８４は常に紙葉類に接触して当該紙葉類を押圧するようになる。
【００５２】
本実施の形態では、ドラム４２が図２乃至図４における時計回りの方向に回転して当該ドラム４２から紙葉類が繰り出される際に紙葉類が折られた場合でもこの折られた紙葉類が各テープ９０、９２、９４を両面から挟み込んでしまうことを防止するための案内部８０、８５が設けられている。ここで、上述したように、本実施の形態ではドラム４２の軸方向に沿って並ぶよう複数のテープ９０、９２、９４が設けられており、案内部８０、８５は各テープ９０、９２、９４に対応して設けられている。図２乃至図４においてこのような案内部８０、８５を斜線で示している。
【００５３】
案内部８０は、ドラム４２から紙葉類が繰り出される際に紙葉類が折られた場合でもこの折られた紙葉類が中央のテープ９２を両面から挟み込んでしまうことを防止するようになっている。このような案内部８０はドラム４２の上方に設置されるとともに、ドラム４２の軸４２ａと平行に延びる軸８１を中心として回転自在となっている。そして、案内部８０の自重によりこの案内部８０の先端部分はドラム４２に巻かれたテープ９２に接触するようになっている。なお、案内部８０は、自重によりその先端部分がドラム４２に巻かれたテープ９２に接触する代わりに、図示しないバネ等の付勢手段により案内部８０の先端部分がドラム４２側に向かって付勢されるようになっていてもよい。また、図５および図６に示すように、案内部８０は、ドラム４２の軸方向における位置（すなわち、図６の左右方向における位置）がテープ９２に対向する位置となっている。
【００５４】
また、案内部８０は、ドラム４２から各テープ９０、９２、９４が巻き戻されることにより当該ドラム４２から紙葉類が繰り出される際に紙葉類の折られた部分がドラム４２の軸方向においてテープ９２から遠ざかる方向に移動するような形状となっている。具体的には、案内部８０は、図６に示すように、一時保留部４０を上方から見たときに、ドラム４２から紙葉類が繰り出される方向において（すなわち、図６における下向きの方向において）ドラム４２の軸方向における幅（すなわち、図６の左右方向における幅）が徐々に大きくなるような三角形形状となっている。すなわち、案内部８０は、ドラム４２から紙葉類が繰り出される方向に進むに従ってテープ９２の幅方向外側に徐々に広がっていくような形状となっている。このような構成の案内部８０がテープ９２に対向して当該テープ９２の表面に接触するよう設けられているため、ドラム４２から各テープ９０、９２、９４が巻き戻されることによりドラム４２から紙葉類が繰り出される際に紙葉類の折られた部分がテープ９２の表面に乗ろうとしてもこの紙葉類の折られた部分が案内部８０の側面に接触することにより当該折られた部分がテープ９２の表面に乗ることが抑制され、このことにより、折られた紙葉類がテープ９２を両面から挟み込んでしまうことが防止されるようになる。
【００５５】
言い換えると、このような案内部８０がもし仮に一時保留部４０に設けられていない場合には、ドラム４２から各テープ９０、９２、９４が巻き戻されることにより当該ドラム４２から紙葉類が繰り出される際に、図１８（ａ）に示すように紙葉類の繰出方向（図１８（ａ）において矢印で表示）において当該紙葉類の前端縁に切れ部分があり、この切れ部分により紙葉類の一部が折れてしまった場合には、この折られた部分（図１８（ａ）において参照符号Ｓ´で表示）がテープ９２の反対側の面に接触することにより、折られた紙葉類がテープ９２を両面から挟み込んでしまう場合がある。なお、紙葉類の前端縁に形成された切れ部分により紙葉類の一部が折れてしまった場合において、この折られた部分がテープ９２の反対側の面に接触しなくても、折られた紙葉類がテープ９２を両面から挟み込んでしまうこともある。このように、折られた紙葉類がテープ９２を両面から挟み込んでしまった場合には、各案内ローラ５０、５２の近傍において各テープ９０、９２、９４から紙葉類が放出される際に、紙葉類におけるテープ９２の反対側の面に折り込まれた部分が当該テープ９２と案内ローラ５２との間に挟まれることにより、紙葉類がその切れた部分から破れてしまったり向きが大きく変わってしまったりするおそれがある。
【００５６】
図５等に示すように、可動ガイド８２には、各テープ９０、９２に対向して一対の案内部８５が設けられている。また、可動ガイド８２において、各案内部８５の両側部には、ドラム４２に各テープ９０、９２、９４が巻き取られることにより当該ドラム４２に紙葉類が収納される際に当該紙葉類の案内を行う追加案内部８６が設けられている。このような各案内部８５および追加案内部８６が設けられた可動ガイド８２の斜視図を図１０および図１１に示す。各案内部８５は、それぞれ、ドラム４２から紙葉類が繰り出される際に紙葉類が折られた場合でもこの折られた紙葉類がテープ９０、９４を両面から挟み込んでしまうことを防止するようになっている。ここで、図５および図６に示すように、各案内部８５は、ドラム４２の軸方向における位置（すなわち、図６の左右方向における位置）がテープ９０、９４にそれぞれ対向する位置となっている。
【００５７】
また、図５および図６に示すように、各案内部８５は、ドラム４２から紙葉類が繰り出される方向において（すなわち、図６における下向きの方向において）ドラム４２の軸方向における幅（すなわち、図６の左右方向における幅）の大きさが一定となるようその両端縁がドラム４２の周方向に沿って延びる形状となっている。また、図１０および図１１に示すように、各案内部８５は、追加案内部８６における紙葉類を案内する案内面８６ａからドラム４２側に向かって突出するよう配設されており、各案内部８５の案内面８５ａは、ドラム４２に巻かれた各テープ９０、９４の表面とわずかな隙間を隔ててこれらのテープ９０、９４に対向するようになる。とりわけ、案内部８５が取り付けられた可動ガイド８２は、ドラム４２に収納される紙葉類の量に応じて軸８３を中心として揺動自在となっており、この可動ガイド８２に設けられたベアリング８４がドラム４２に巻かれた紙葉類に当接するようバネ８９等の付勢手段によって当該可動ガイド８２は軸８３を中心として図２乃至図４における反時計回りの方向に押圧されるため、ドラム４２に収納される紙葉類の量が多い場合でも少ない場合でも、各案内部８５の案内面８５ａとドラム４２に巻かれた各テープ９０、９４の表面との間にわずかな隙間が形成されるようになる。このような構成の各案内部８５がテープ９０、９４にそれぞれ対向してこれらのテープ９０、９４との間にわずかな隙間を形成するよう設けられているため、ドラム４２から各テープ９０、９２、９４が巻き戻されることによりドラム４２から紙葉類が繰り出される際に紙葉類の折られた部分が各テープ９０、９４の表面に乗ろうとしてもこの紙葉類の折られた部分が案内部８５の側面８５ｂや側縁部８５ｃ（図１０および図１１参照）に接触することにより当該折られた部分が各テープ９０、９４の表面に乗ることが抑制され、このことにより、折られた紙葉類が各テープ９０、９４を両面から挟み込んでしまうことが防止されるようになる。
【００５８】
言い換えると、このような各案内部８５がもし仮に一時保留部４０に設けられていない場合には、ドラム４２から各テープ９０、９２、９４が巻き戻されることにより当該ドラム４２から紙葉類が繰り出される際に、図１８（ｂ）に示すように紙葉類の繰出方向（図１８（ｂ）において矢印で表示）において当該紙葉類の前端縁に切れ部分があり、この切れ部分により紙葉類の一部が折れてしまった場合には、この折られた部分（図１８（ｂ）において参照符号Ｓ´で表示）が各テープ９０、９４（図１８（ｂ）に示す例ではテープ９４）の反対側の面に接触することにより、折られた紙葉類がテープ９０を両面から挟み込んでしまう場合がある。このような場合には、各案内ローラ５０、５２の近傍において各テープ９０、９２、９４から紙葉類が放出される際に、紙葉類におけるテープ９４の反対側の面に折り込まれた部分が当該テープ９４と案内ローラ５０や案内ローラ５２との間に挟まれることにより、紙葉類がその切れた部分から破れてしまったり向きが大きく変わってしまったりするおそれがある。
【００５９】
また、本実施の形態の一時保留部４０では、図２乃至図４に示すように、案内ローラ５０の近傍にスクレーパ部材９６が設けられている。より詳細には、２つのスクレーパ部材９６が各テープ９０、９４に対応して設けられており、各スクレーパ部材９６には、ドラム４２と案内ローラ５０との間にある各テープ９０、９４がそれぞれ接触するようになっている。このようなスクレーパ部材９６の構成について図１２および図１３を用いて説明する。図１２は、スクレーパ部材９６の構成を示す斜視図であり、図１３は、図１２に示すスクレーパ部材９６を前方から見たときの構成を示す正面図である。
【００６０】
図１２および図１３に示すように、スクレーパ部材９６の先端部分９６ｂ、９６ｃに、ドラム４２と案内ローラ５０との間にある各テープ９０、９４が接触するようになっている。ここで、スクレーパ部材９６の先端部分は単なる直線形状ではなく互いに向きの異なるような複数の先端部分９６ｂ、９６ｃから構成されており、これらの複数の先端部分９６ｂ、９６ｃを組み合わせるといわゆる凹形状の先端部分が形成されるため、ドラム４２と案内ローラ５０との間にある各テープ９０、９４がスクレーパ部材９６の先端部分９６ｂ、９６ｃに接触したときに各テープ９０、９４の断面形状は直線状から湾曲形状に変形するようになっている（図１３参照）。なお、図１３では、各テープ９０、９４の形状を見やすくするために、各テープ９０、９４と先端部分９６ｂ、９６ｃとを離間させて図示しているが、実際には各テープ９０、９４と先端部分９６ｂ、９６ｃとは接触している。このように、スクレーパ部材９６の先端部分９６ｂ、９６ｃのうち両側の先端部分９６ｃは、当該スクレーパ部材９６に接触する各テープ９０、９４の両側縁を覆うような形状となっている。
【００６１】
また、スクレーパ部材９６は、案内ローラ５０の軸と同軸で設けられた軸９６ａを中心として回転自在となっている。また、スクレーパ部材９６の軸９６ａには、ねじりバネ等の付勢手段が設けられており、この付勢手段によりスクレーパ部材９６には軸９６ａを中心として図２乃至図４における時計回りの方向に回転するような力が付勢されるようになっている。このことにより、図２乃至図４に示すように、スクレーパ部材９６の先端部分９６ｂ、９６ｃは、ドラム４２に収納される紙葉類の量が多い場合でも少ない場合でも、ドラム４２と案内ローラ５０との間にある各テープ９０、９４に常に接触するようになる。
【００６２】
また、図１３に示すように、ドラム４２と案内ローラ５０との間にある各テープ９０、９４がスクレーパ部材９６の先端部分９６ｂ、９６ｃに接触したときに各テープ９０、９４の断面形状が直線状から湾曲形状に変形するようになっている。このため、ドラム４２から各テープ９０、９２、９４が巻き戻される際に、テープ９０、９２、９４から放出される紙葉類や、この紙葉類よりも１つ内側にあり最外側のテープ９０、９２、９４に巻かれた状態でスクレーパ部材９６の近傍を通過する紙葉類の繰出方向において当該紙葉類の前端縁に切れ部分があり、この切れ部分により上記の紙葉類の一部が、ドラム４２に巻かれた各テープ９０、９２、９４から外れてしまった場合でも（この紙葉類の外れた部分を図３において二点鎖線の参照符号Ｐで表示）、この紙葉類の外れた部分が案内ローラ５０と各テープ９０、９４との間に入り込んでしまうことを防止することができる。より詳細には、ドラム４２に巻かれた各テープ９０、９２、９４から外れた紙葉類の一部分がスクレーパ部材９６と各テープ９０、９４との間に入り込んでしまうことを抑制することができるとともに、もし仮に紙葉類の外れた部分がスクレーパ部材９６と各テープ９０、９４との間に入り込んでしまってもこの紙葉類の一部分が案内ローラ５０と各テープ９０、９４との間に送り込まれることを抑制することができる。
【００６３】
比較例として、従来技術のスクレーパ部材の構成を図１９に示す。図１９は、従来技術のスクレーパ部材９７の構成を示す正面図である。従来技術のスクレーパ部材９７は、案内ローラ５０の軸と同軸で設けられた軸９７ａを中心として回転自在となっている。また、スクレーパ部材９７の軸９７ａには、ねじりバネ等の付勢手段が設けられており、この付勢手段によりスクレーパ部材９７には軸９７ａを中心として各テープ９０、９４側に回転するような力が付勢されるようになっている。また、図１９に示すように、スクレーパ部材９７の先端部分９７ｂに、ドラム４２と案内ローラ５０との間にある各テープ９０、９４が接触するようになっている。ここで、従来技術のスクレーパ部材９７の先端部分９７ｂは単なる直線形状となっているため、ドラム４２と案内ローラ５０との間にある各テープ９０、９４がスクレーパ部材９７の先端部分９７ｂに接触したときに各テープ９０、９４の断面形状は直線状のままとなる。このような場合には、ドラム４２から各テープ９０、９２、９４が巻き戻される際に、テープ９０、９２、９４から放出される紙葉類や、この紙葉類よりも１つ内側にあり最外側のテープ９０、９２、９４に巻かれた状態でスクレーパ部材９６の近傍を通過する紙葉類の繰出方向において当該紙葉類の前端縁に切れ部分があり、この切れ部分により上記の紙葉類の一部が、ドラム４２に巻かれた各テープ９０、９２、９４から外れてしまった場合には、この紙葉類の外れた部分がスクレーパ部材９７の先端部分９７ｂと各テープ９０、９４との間に入り込んでしまうおそれがある。このときには、スクレーパ部材９７の先端部分９７ｂと各テープ９０、９４との間を通過した紙葉類の一部分は、案内ローラ５０と各テープ９０、９４との間に入り込んでしまい、ドラム４２から巻き出されるべき紙葉類は、この案内ローラ５０と各テープ９０、９４との間に入り込んだ部分から破れてしまうおそれがある。
【００６４】
なお、本実施の形態によるスクレーパ部材９６は、図１２および図１３に示すような構成のものに限定されることはない。図１２および図１３に示すスクレーパ部材９６では、両側の先端部分９６ｃが当該スクレーパ部材９６に接触する各テープ９０、９４の両側縁を覆うような形状となっているが、変形例に係るスクレーパ部材として、両側の先端部分ではなく一方の先端部分のみが図１２や図１３における先端部分９６ｃと同様の構成となっており、当該スクレーパ部材に接触する各テープ９０、９４の一方の側縁のみがスクレーパ部材の先端部分により覆われるようになっていてもよい。この場合には、ドラム４２と案内ローラ５０との間にある各テープ９０、９４がスクレーパ部材に接触したときに各テープ９０、９４の断面は水平状態から傾くようになり、このことによりドラム４２に巻かれた各テープ９０、９２、９４から外れてしまった紙葉類の一部分がスクレーパ部材９６と各テープ９０、９４との間に入り込んでしまうことを抑制することができるようになる。
【００６５】
また、本実施の形態による更に別の構成のスクレーパ部材を図１４および図１５に示す。図１４および図１５に示すスクレーパ部材９８は、案内ローラ５０の軸と同軸で設けられた軸９８ａを中心として回転自在となっている。また、スクレーパ部材９８の軸９８ａには、ねじりバネ等の付勢手段が設けられており、この付勢手段によりスクレーパ部材９８には軸９８ａを中心として各テープ９０、９４側に回転するような力が付勢されるようになっている。また、スクレーパ部材９８は、その先端部分９８ｂ、９８ｃに、ドラム４２と案内ローラ５０との間にある各テープ９０、９４が接触するようになっている。ここで、スクレーパ部材９８の先端部分は単なる直線形状ではなく互いに向きの異なるような複数の先端部分９８ｂ、９８ｃから構成されており、両側の先端部分９８ｃには、下方に向かって延びるブラシ部材９９が取り付けられている。そして、図１５に示すように、ドラム４２と案内ローラ５０との間にある各テープ９０、９４がスクレーパ部材９８の先端部分９８ｂ、９８ｃに接触したときに、各テープ９０、９４は両側のブラシ部材９９の間に位置するようになる。このようなブラシ部材９９が設けられていることにより、ドラム４２から各テープ９０、９２、９４が巻き戻されることにより当該ドラム４２から紙葉類が繰り出される際に、紙葉類の繰出方向において当該紙葉類の前端縁に切れ部分があり、この切れ部分により紙葉類の一部が、ドラム４２に巻かれた各テープ９０、９２、９４から外れてしまった場合でも、この紙葉類の外れた一部分がスクレーパ部材９８と各テープ９０、９４との間に入り込んでしまうことを防止することができる。
【００６６】
次に、図１に示すような構成からなる紙葉類処理機１０の制御系の構成について図１６を用いて説明する。本実施の形態の紙葉類処理機１０には制御部３５が設けられており、この制御部３５には、入出金部１４に設けられた第１繰出機構１６および第２繰出機構１８、搬送部２０、識別部２２、幅方向位置合わせ部２４、一時保留部４０、各紙葉類収納繰出部３０に設けられた繰出機構３１および各紙葉類収納繰出部３２に設けられた繰出機構３３がそれぞれ通信可能に接続されている。ここで、識別部２２による紙葉類の識別結果は制御部３５に送られるようになっている。また、制御部３５は、第１繰出機構１６、第２繰出機構１８、搬送部２０、幅方向位置合わせ部２４、一時保留部４０、各繰出機構３１および各繰出機構３３等に指令信号を送ることによりこれらの構成部材の制御を行うようになっている。
【００６７】
また、図１６に示すように、制御部３５には操作表示部３６、記憶部３７、通信インターフェース部３８がそれぞれ通信可能に接続されている。操作表示部３６は例えば筐体１２の前面または上面に配設されたタッチパネル等からなり、操作者は操作表示部３６により制御部３５に対して様々な指令を入力することができるとともに当該操作表示部３６には紙葉類処理機１０における紙葉類の処理内容や当該紙葉類処理機１０の機体内に収納された紙葉類（具体的には、紙幣や小切手）の在高等が表示されるようになっている。また、記憶部３７は、紙葉類処理機１０における紙葉類の処理内容の履歴や当該紙葉類処理機１０の機体内に収納された紙葉類（具体的には、紙幣や小切手）の在高等の情報を記憶するようになっている。また、紙葉類処理機１０の制御部３５は通信インターフェース部３８を介して上位端末等の外部装置と通信可能に接続されており、この通信インターフェース部３８により当該外部装置に対して信号の送受信が行われるようになっている。
【００６８】
次に、紙葉類処理機１０に設けられた搬送部２０の構成の詳細について図３２を用いて以下に述べる。図３２に示すように、搬送部２０は循環ベルト２０ａや当該循環ベルト２０ａに対向して設けられた複数のピンチローラ２０ｄを有しており、循環ベルト２０ａが循環移動することにより、この循環ベルト２０ａと各ピンチローラ２０ｄとの間で紙葉類が１枚ずつ搬送されるようになっている。具体的には、循環ベルト２０ａは複数のプーリ２０ｂ（図３２に示す例では２つのプーリ２０ｂ）により張架されており、複数のプーリ２０ｂのうちある一つのプーリ２０ｂがモータ２０ｃ（例えば、ＤＣブラシレスモータ）により正逆両方向に駆動されるようになっている。そして、図３２に示す例においてモータ２０ｃがプーリ２０ｂを例えば反時計回りの方向に回転させると、循環ベルト２０ａが図３２における矢印の方向に循環移動し、この循環ベルト２０ａと各ピンチローラ２０ｄとの間で紙葉類が右方向に搬送されるようになる。
【００６９】
本実施の形態では、制御部３５は搬送部２０のモータ２０ｃを以下に示すような方法により制御するようになっている。このような制御部３５による搬送部２０のモータ２０ｃの制御方法について図３３に示すグラフを用いて説明する。なお、図３３に示すグラフにおいて、横軸は時刻を示し、縦軸はモータ２０ｃの回転速度（具体的には、制御部３５により搬送部２０のモータ２０ｃに与えられる回転速度の指令値）を示している。
【００７０】
搬送部２０の起動時に、制御部３５はまずモータ２０ｃを第１の回転速度ａ（例えば、約１６００ｒｐｍ）で回転させる。具体的には、制御部３５により搬送部２０のモータ２０ｃに与えられる回転速度の指令値を第１の回転速度ａとする。この第１の回転速度ａは、通常の運転時において搬送部２０の循環ベルト２０ａにより紙葉類が通常の搬送速度で搬送されるときの速度である。しかしながら、低温時には循環ベルト２０ａは硬化してしまうため、このような低温時に循環ベルト２０ａを駆動させた場合に、制御部３５により搬送部２０のモータ２０ｃに与えられる回転速度の指令値が第１の回転速度ａであるときでもモータ２０ｃの実際の回転速度が第１の回転速度ａに達しないことがある。このため、制御部３５により搬送部２０のモータ２０ｃに与えられる回転速度の指令値を第１の回転速度ａとした後、所定の時間（例えば、２秒）経過してもモータ２０ｃの実際の回転速度が第１の回転速度ａに達しなかった場合には（図３３における時刻ｔ１参照）、紙葉類処理機１０の筐体１２内に各構成ユニットが正しくセットされているときには、制御部３５はモータ２０ｃを一旦停止させる（図３３における時刻ｔ２参照）。そして、モータ２０ｃが停止した後、所定の時間（例えば、１秒）が経過すると（図３３における時刻ｔ３参照）、制御部３５は再びモータ２０ｃを第１の回転速度ａで回転させる（すなわち、制御部３５により搬送部２０のモータ２０ｃに与えられる回転速度の指令値を再び第１の回転速度ａとする）。一方、モータ２０ｃの実際の回転速度が第１の回転速度ａに達しなかった場合に、紙葉類処理機１０の筐体１２内に各構成ユニットが正しくセットされていないときには、制御部３５は動作不良エラーとして紙葉類処理機１０の各構成部材の動作を停止させ、操作表示部３６に動作不良エラーが発生した旨の情報を表示させる。
【００７１】
制御部３５により搬送部２０のモータ２０ｃに与えられる回転速度の指令値を再び第１の回転速度ａとした後、所定の時間（例えば、０．８秒）が経過してもモータ２０ｃの実際の回転速度が第１の回転速度ａに達しなかった場合には（図３３における時刻ｔ４参照）、制御部３５により搬送部２０のモータ２０ｃに与えられる回転速度の指令値を第１の回転速度ａから第２の回転速度ｂ（例えば、約１３００ｒｐｍ）に減少させる。そして、制御部３５により搬送部２０のモータ２０ｃに与えられる回転速度の指令値を第２の回転速度ｂに減少させた後、所定の時間（例えば、１．６秒）が経過してもモータ２０ｃの実際の回転速度が第２の回転速度ｂとならなかった場合には（図３３における時刻ｔ５参照）、制御部３５は動作不良エラーとして紙葉類処理機１０の各構成部材の動作を停止させ、操作表示部３６に動作不良エラーが発生した旨の情報を表示させる。詳述すると、第２の回転速度ｂは、循環ベルト２０ａが最大限硬化しても達成可能な回転速度に設定してあるので、第２の回転速度ｂに達しないのは、ベルトの硬化が原因ではなく、異物が挟まったりして過負荷が掛かっているとみなし、動作不良エラーとして紙葉類処理機１０の動作を停止させるようにしている。一方、制御部３５により搬送部２０のモータ２０ｃに与えられる回転速度の指令値を第２の回転速度ｂに減少させた後、所定の時間（例えば、１．６秒）が経過したときにモータ２０ｃの実際の回転速度が第２の回転速度ｂとなった場合には（図３３における時刻ｔ５参照）、制御部３５はモータ２０ｃを第２の回転速度ｂで更に所定の時間（例えば、１．４秒）だけ回転させた後（図３３における時刻ｔ６参照）、当該制御部３５により搬送部２０のモータ２０ｃに与えられる回転速度の指令値を第２の回転速度ｂから第１の回転速度ａに増加させる。
【００７２】
そして、制御部３５により搬送部２０のモータ２０ｃに与えられる回転速度の指令値を再び第１の回転速度ａとした後、所定の時間（例えば、０．８秒）が経過したときに（図３３における時刻ｔ７参照）、モータ２０ｃの実際の回転速度が第１の回転速度ａに達した場合には、制御部３５はモータ２０ｃを第１の回転速度ａで定常運転させる。一方、制御部３５により搬送部２０のモータ２０ｃに与えられる回転速度の指令値を再び第１の回転速度ａとした後、所定の時間（例えば、０．８秒）が経過してもモータ２０ｃの実際の回転速度が第１の回転速度ａに達しなかった場合には（図３３における時刻ｔ７参照）、制御部３５により搬送部２０のモータ２０ｃに与えられる回転速度の指令値を第１の回転速度ａから第２の回転速度ｂ（例えば、１３００ｒｐｍ）に再び減少させる。このような、搬送部２０のモータ２０ｃに与えられる回転速度の指令値を第１の回転速度ａから第２の回転速度ｂに減少させるようなリトライ動作は、最大で、予め設定された所定の回数（例えば、１０回）だけ行われる。そして、上記のリトライ動作が予め設定された所定の回数だけ行われてもモータ２０ｃの実際の回転速度が第１の回転速度ａに達しなかった場合には、制御部３５は動作不良エラーとして紙葉類処理機１０の各構成部材の動作を停止させ、操作表示部３６に動作不良エラーが発生した旨の情報を表示させる。
【００７３】
以上のように、本実施の形態では、搬送部２０のモータ２０ｃに与えられる回転速度の指令値を第１の回転速度ａから第２の回転速度ｂに減少させるようなリトライ動作を行うことにより、循環ベルト２０ａを低速で循環移動させることができるようになるため、低温時に循環ベルト２０ａが硬化していた場合でもモータ２０ｃに過負荷をかけることなく当該循環ベルト２０ａを柔らかくして搬送部２０の定常運転を行うことができるようになる。すなわち、従来の搬送部２０のモータ２０ｃの制御方法では、搬送部２０の起動時に制御部３５により搬送部２０のモータ２０ｃに与えられる回転速度の指令値を第１の回転速度ａとしても当該モータ２０ｃの実際の回転速度が第１の回転速度ａに達しないときには、搬送部２０のモータ２０ｃに与えられる回転速度の指令値を第１の回転速度ａから減少させることなく、代わりに動作不良エラーとして紙葉類処理機１０の各構成部材の動作を停止させていた。このように、従来技術では循環ベルト２０ａを低速で循環移動させることにより当該循環ベルト２０ａを柔らかくするという動作が行われていなかったため、低温時に循環ベルト２０ａが硬化していた場合に備えてモータ２０ｃを大型のものとしなければならず、搬送部２０のコストが上昇したりモータ２０ｃの設置スペースを大きくしなければならなかったりするという問題があった。これに対し、本実施の形態では、従来技術と比較してモータ２０ｃの小型化を図ることができるため、搬送部２０のコストを低減するとともにモータ２０ｃの設置スペースを小さくすることができるようになる。また循環ベルト２０ａの硬化の程度に応じたリトライ動作回数となるので、循環ベルト２０ａが正常動作になるまでの時間を最短化できる。
【００７４】
また、本実施の形態では、図１６に示すように、識別部２２には、搬送部２０により搬送される紙葉類の切れ部分を検知する第１検知部２２ａ、搬送部２０により搬送される紙葉類の幅方向における所定箇所の位置（例えば、紙葉類の幅方向における中央部分の位置）を検知する第２検知部２２ｂおよび搬送部２０により搬送される紙葉類が紙幣である場合に当該紙幣の表裏を検知する第３検知部２２ｃが設けられている。具体的には、識別部２２にはイメージセンサが設けられており、当該イメージセンサにより紙葉類の表面の画像が取得されるようになっている。そして、第１検知部２２ａは、イメージセンサにより取得された紙葉類の表面の画像において紙葉類に切れ部分が生じている場合にはこのことを検知するようになっている。具体的には、第１検知部２２ａは、搬送部２０による紙葉類の搬送方向において当該紙葉類の前端縁および後端縁のうちどちらに切れ部分が生じているかを検知するとともに、搬送部２０により搬送される紙葉類の幅方向における切れ部分の位置を検知するようになっている。また、第２検知部２２ｂは、イメージセンサにより取得された紙葉類の表面の画像に基づいて当該紙葉類の幅方向における所定箇所の位置を検知するようになっている。また、第３検知部２２ｃは、イメージセンサにより取得された紙幣の表面の画像と、予め記憶部３７に記憶されている紙幣のおもて面の画像や裏面の画像とを比較することにより、識別部２２により識別された紙幣の表裏を検知するようになっている。なお、識別部２２にイメージセンサを設ける代わりに超音波センサや磁気センサを設けてもよい。識別部２２に超音波センサを設けた場合でも、紙葉類に切れ部分が生じている場合に当該切れ部分の有無や位置を検知することができる。また、識別部２２に磁気センサを設けた場合には、当該磁気センサによって紙幣のスレッドの位置を検知することにより当該紙幣の表裏を検知することができるようになる。
【００７５】
次に、このような構成からなる本実施の形態の紙葉類処理機１０の動作について述べる。なお、以下に示すような紙葉類処理機１０の動作は制御部３５が当該紙葉類処理機１０の各構成部材を制御することにより行われるようになっている。
【００７６】
操作者が入出金部１４に１または複数の紙葉類を積層状態で投入し、操作表示部３６により入金処理開始の指令を制御部３５に入力すると、入出金部１４に投入された紙葉類は第１繰出機構１６により１枚ずつ搬送部２０に繰り出され、当該搬送部２０により紙葉類が１枚ずつ搬送される。搬送部２０により搬送される紙葉類は識別部２２により識別が行われる。具体的には、識別部２２に設けられたイメージセンサにより紙葉類の表面の画像が取得される。そして、第１検知部２２ａは、イメージセンサにより取得された紙葉類の表面の画像において紙葉類に切れ部分が生じている場合にはこのことを検知する。より詳細には、第１検知部２２ａは、搬送部２０による紙葉類の搬送方向において当該紙葉類の前端縁および後端縁のうちどちらに切れ部分が生じているかを検知するとともに、搬送部２０により搬送される紙葉類の幅方向における切れ部分の位置を検知する。
【００７７】
識別部２２により識別された紙葉類が正常なものであり、かつ搬送部２０による紙葉類の搬送方向において当該紙葉類の後端縁に切れ部分が存在しないことが第１検知部２２ａにより検知された場合には、当該紙葉類は搬送部２０により一時保留部４０に搬送される。このことについて図１７（ａ）に示す紙葉類Ｓ１を用いて説明する。図１７において、搬送部２０による紙葉類の搬送方向は右方向となっている。図１７（ａ）に示す紙葉類Ｓ１は、搬送部２０の搬送方向における前端縁に切れ部分Ｔ１が形成されているが、搬送部２０の搬送方向における後端縁には切れ部分が形成されていない。
【００７８】
このような、搬送部２０の搬送方向における後端縁に切れ部分が形成されていない紙葉類が一時保留部４０において各テープ９０、９２、９４と共にドラム４２に巻き取られても、当該ドラム４２から紙葉類が繰り出される際に紙葉類の繰出方向における前端縁には切れ部分が存在しないため、図１８（ａ）や図１８（ｂ）に示すように紙葉類の前端縁に形成された切れ部分により折られた紙葉類が各テープ９０、９２、９４を両面から挟み込んでしまうことがない。このため、各案内ローラ５０、５２の近傍において各テープ９０、９２、９４から紙葉類が放出される際に、各テープ９０、９２、９４から紙葉類が放出される箇所の近傍で紙葉類が破れてしまったり向きが大きく変わってしまったりすることがない。
【００７９】
また、搬送部２０による紙葉類の搬送方向において当該紙葉類の後端縁に切れ部分が存在することが第１検知部２２ａにより検知された場合でも、紙葉類の幅方向における切れ部分の位置が一時保留部４０のドラム４２の軸方向における各テープ９０、９２、９４の位置と重なる場合には、当該紙葉類は搬送部２０により一時保留部４０に搬送される。このことについて図１７（ｂ）に示す紙葉類Ｓ２を用いて説明する。図１７（ｂ）に示す紙葉類Ｓ２は、搬送部２０の搬送方向における後端縁に切れ部分Ｔ２が形成されているが、紙葉類Ｓ２の幅方向における切れ部分Ｔ２の位置が一時保留部４０のドラム４２の軸方向における各テープ９０、９２、９４の位置（具体的には、テープ９２の位置）と重なっている。
【００８０】
このような、幅方向における切れ部分の位置が一時保留部４０のドラム４２の軸方向における各テープ９０、９２、９４の位置と重なる紙葉類が一時保留部４０において各テープ９０、９２、９４と共にドラム４２に巻き取られると、当該ドラム４２から紙葉類が繰り出される際に紙葉類の繰出方向における前端縁に切れ部分が存在するようになるが、紙葉類の幅方向における切れ部分の位置が一時保留部４０のドラム４２の軸方向における各テープ９０、９２、９４の位置と重なるため、紙葉類がドラム４２から繰り出される際に当該紙葉類の切れ部分は各テープ９０、９２、９４により押さえられるようになり、この切れ部分から紙葉類が折られてしまうことが抑制される。このことにより、紙葉類がドラム４２から繰り出される際に、切れ部分により折られた紙葉類が各テープ９０、９２、９４を両面から挟み込んでしまうことが抑制されるため、各案内ローラ５０、５２の近傍において各テープ９０、９２、９４から紙葉類が放出される際に、各テープ９０、９２、９４から紙葉類が放出される箇所の近傍で紙葉類が破れてしまったり向きが大きく変わってしまったりすることがない。
【００８１】
一方、搬送部２０による紙葉類の搬送方向において当該紙葉類の後端縁に切れ部分が存在し、しかも紙葉類の幅方向における切れ部分の位置が一時保留部４０のドラム４２の軸方向における各テープ９０、９２、９４の位置と重ならないことが第１検知部２２ａにより検知された場合には、当該紙葉類は搬送部２０により一時保留部４０以外の箇所に搬送される。具体的には、このような紙葉類は搬送部２０により入出金部１４に搬送される。このことについて図１７（ｃ）に示す紙葉類Ｓ３を用いて説明する。図１７（ｃ）に示す紙葉類Ｓ３は、搬送部２０の搬送方向における後端縁に切れ部分Ｔ３が形成されており、しかも紙葉類Ｓ３の幅方向における切れ部分Ｔ３の位置が一時保留部４０のドラム４２の軸方向における各テープ９０、９２、９４の位置と重なっていない。
【００８２】
このような、搬送部２０の搬送方向における後端縁に切れ部分が形成されておりしかも幅方向における切れ部分の位置が一時保留部４０のドラム４２の軸方向における各テープ９０、９２、９４の位置と重ならない紙葉類が一時保留部４０において各テープ９０、９２、９４と共にドラム４２に巻き取られると、当該ドラム４２から紙葉類が繰り出される際に紙葉類の繰出方向における前端縁に切れ部分が存在するようになり、図１８（ａ）や図１８（ｂ）に示すように紙葉類の前端縁に形成された切れ部分により折られた紙葉類が各テープ９０、９２、９４を両面から挟み込んでしまうおそれがある。この場合には、各案内ローラ５０、５２の近傍において各テープ９０、９２、９４から紙葉類が放出される際に、各テープ９０、９２、９４から紙葉類が放出される箇所の近傍で紙葉類が破れてしまったり向きが大きく変わってしまったりするおそれがある。このため、このような紙葉類は搬送部２０により一時保留部４０以外の箇所（具体的には、入出金部１４）に搬送することにより上記のトラブルが発生することを未然に防止することができるようになる。
【００８３】
入出金部１４は、第１検知部２２ａにより検知が行われた紙葉類の方向を変換するための方向変換部として機能するようになっている。具体的には、搬送部２０から入出金部１４に送られた紙葉類が第２繰出機構１８により搬送部２０に戻されることにより当該紙葉類の方向が変換されるようになる。搬送部２０の搬送方向における後端縁に切れ部分が形成されておりしかも幅方向における切れ部分の位置が一時保留部４０のドラム４２の軸方向における各テープ９０、９２、９４の位置と重ならない紙葉類がこのような入出金部１４に送られた後、当該入出金部１４から第２繰出機構１８により搬送部２０に戻されると、搬送部２０に戻された紙葉類の方向（具体的には、搬送部２０による搬送方向における紙葉類の向き）が変換されるようになる。具体的には、搬送部２０による紙葉類の搬送方向において当該紙葉類の前端縁および後端縁が入れ替わるようになる。そして、入出金部１４から搬送部２０に戻された紙葉類は再び識別部２２に送られ、当該識別部２２により識別が行われる。この際に、搬送部２０による紙葉類の搬送方向において紙葉類の後端縁に切れ部分が存在しない場合（図１７（ａ）における紙葉類Ｓ１参照）や、搬送部２０による紙葉類の搬送方向において紙葉類の後端縁に切れ部分が存在するが紙葉類の幅方向におけるこの切れ部分の位置が一時保留部４０のドラム４２の軸方向における各テープ９０、９２、９４の位置と重なる場合（図１７（ｂ）における紙葉類Ｓ２参照）には、これらの紙葉類は一時保留部４０に搬送されるようになる。なお、入出金部１４から搬送部２０に戻された紙葉類が再び識別部２２に送られ、当該識別部２２により識別が行われたときに、依然として、搬送部２０による紙葉類の搬送方向において紙葉類の後端縁に切れ部分が存在するとともに紙葉類の幅方向におけるこの切れ部分の位置が一時保留部４０のドラム４２の軸方向における各テープ９０、９２、９４の位置と重ならない場合には、当該紙葉類はリジェクト紙葉類として入出金部１４に再び送られ、操作者により取り出されるようになる。
【００８４】
なお、搬送部２０の搬送方向における後端縁に切れ部分が形成されておりしかも幅方向における切れ部分の位置が一時保留部４０のドラム４２の軸方向における各テープ９０、９２、９４の位置と重ならない紙葉類が入出金部１４に送られたときに、このような紙葉類は第２繰出機構１８により搬送部２０に戻される代わりに、操作者により入出金部１４から紙葉類が取り出され、この取り出された紙葉類の方向が変えられた後に再び操作者によって入出金部１４に投入され、当該入出金部１４の第１繰出機構１６により搬送部２０に繰り出されるようになっていてもよい。このときに、操作表示部３６に、紙葉類を再投入する旨の案内メッセージを表示してもよい。具体的には、再投入された紙葉類の切れ部分が搬送方向における前端縁に位置するように、入出金部１４に返却された紙葉類の下端が、再投入時にも下端となるように紙葉類を再投入する旨の案内メッセージが操作表示部３６に表示されてもよい。このように、入出金部１４に紙葉類が再投入され、当該入出金部１４の第１繰出機構１６により搬送部２０に繰り出されると、この紙葉類は再び識別部２２に送られ、当該識別部２２により識別が行われるようになる。
【００８５】
操作者により入出金部１４に投入された紙葉類が全て当該入出金部１４から搬送部２０に繰り出され、一時保留部４０に一時的に保留された後、操作者が操作表示部３６により承認指令を制御部３５に与えると、ドラム４２から紙葉類が各テープ９０、９２、９４とともに巻き戻されることによって一時保留部４０から紙葉類が１枚ずつ搬送部２０に繰り出され、搬送部２０に繰り出された紙葉類は当該搬送部２０により各紙葉類収納繰出部３０または各紙葉類収納繰出部３２に搬送される。そして、一時保留部４０に一時的に保留された紙葉類が全て各紙葉類収納繰出部３０または各紙葉類収納繰出部３２に収納されると、紙葉類処理機１０における紙葉類の収納動作が完了する。
【００８６】
なお、本実施の形態では、制御部３５が第１検知部２２ａにより検知された紙葉類の切れ部分の位置に基づいて紙葉類の搬送先を一時保留部４０とそれ以外の箇所との間で切り替えるよう搬送部２０の制御を行うにあたり、上記の制御方法以外の制御方法が行われるようになっていてもよい。制御部３５による制御方法の別の態様として、例えば、識別部２２により識別された紙葉類が正常なものであり、かつ搬送部２０による紙葉類の搬送方向において当該紙葉類の後端縁に切れ部分が存在することが第１検知部２２ａにより検知された場合には、紙葉類の幅方向における切れ部分の位置がどの位置にあっても（すなわち、紙葉類の幅方向における切れ部分の位置が一時保留部４０のドラム４２の軸方向における各テープ９０、９２、９４の位置と重なる場合でも）、当該紙葉類は搬送部２０により一時保留部４０以外の箇所（具体的には、入出金部１４）に搬送されるようになっていてもよい。
【００８７】
以上のような構成からなる本実施の形態の紙葉類収納繰出装置（具体的には、一時保留部４０）によれば、ドラム４２から各テープ９０、９２、９４が巻き戻されることにより当該ドラム４２から紙葉類が繰り出される際に当該紙葉類が各テープ９０、９２、９４を両面から挟み込むことを防止するよう紙葉類を案内する案内部８０、８５が設けられている。このような案内部８０、８５が設けられていることにより、ドラム４２から紙葉類が繰り出される際に紙葉類が折られた場合でも、この折られた紙葉類が各テープ９０、９２、９４を両面から挟み込んでしまうことが各案内部８０、８５によって防止されるため、各テープ９０、９２、９４から紙葉類が放出される箇所の近傍（具体的には、案内ローラ５０、５２）で紙葉類が破れてしまったり向きが大きく変わってしまったりすることを抑制することができる。
【００８８】
また、本実施の形態の紙葉類収納繰出装置においては、上述したように、各案内部８０、８５は、ドラム４２の軸方向における位置が各テープ９０、９２、９４に対向する位置となっている。ここで、中央のテープ９２に対向する案内部８０は、ドラム４２から各テープ９０、９２、９４が巻き戻されることにより当該ドラム４２から紙葉類が繰り出される際に当該紙葉類の折られた部分がドラム４２の軸方向においてテープ９２から遠ざかる方向に移動するような形状となっている。より詳細には、案内部８０は、ドラム４２から紙葉類が繰り出される方向においてドラム４２の軸方向における幅が徐々に大きくなるような形状となっている。また、両側のテープ９０、９４に対向する各案内部８５は、ドラム４２から紙葉類が繰り出される方向においてドラム４２の軸方向における幅の大きさが一定となるようその両端縁がドラム４２の周方向に沿って延びる形状となっている。
【００８９】
また、本実施の形態の紙葉類収納繰出装置においては、上述したように、テープ９０、９２、９４はドラム４２の軸方向に沿って並ぶよう複数設けられており、各テープ９０、９２、９４に対応して複数の案内部（具体的には、案内部８０および各案内部８５）が設けられている。
【００９０】
また、本実施の形態の紙葉類収納繰出装置においては、上述したように、ドラム４２に各テープ９０、９２、９４が巻き取られることによりドラム４２に紙葉類が収納される際に当該紙葉類の案内を行う追加案内部８６が設けられており、このような追加案内部８６は、ドラム４２に収納される紙葉類の量に応じて軸８３を中心として揺動自在となっている。具体的には、追加案内部８６が設けられた可動ガイド８２は、ドラム４２に収納される紙葉類の量に応じて軸８３を中心として揺動自在となっている。そして、上記の案内部８５はこのような追加案内部８６に取り付けられている。この場合には、ドラム４２に収納される紙葉類の量が多い場合でも少ない場合でも、各案内部８５の案内面８５ａとドラム４２に巻かれた各テープ９０、９４の表面との間の隙間を小さくすることができるようになる。また、この場合には、案内部８５は、追加案内部８６における紙葉類を案内する案内面８６ａからドラム４２側に向かって突出するよう配設されている。
【００９１】
また、本実施の形態の紙葉類収納繰出装置においては、上述したように、中央のテープ９２に対向する案内部８０は、ドラム４２に収納される紙葉類の量に応じて軸８１を中心として揺動自在となっており、当該案内部８０は、ドラム４２に巻かれたテープ９２に接触可能となっている。
【００９２】
また、本実施の形態の紙葉類収納繰出装置においては、上述したように、ドラム４２から巻き戻された各テープ９０、９４を案内する案内ローラ５０の近傍に、ドラム４２と案内ローラ５０との間にある各テープ９０、９４が接触するスクレーパ部材９６が巻取部材案内部として設けられており、このスクレーパ部材９６は、ドラム４２から巻き戻された紙葉類が案内ローラ５０と各テープ９０、９４との間に入り込むことを抑制するような形状となっている。より詳細には、スクレーパ部材９６は、ドラム４２から巻き戻された紙葉類が当該スクレーパ部材９６と各テープ９０、９４との間に入り込むことを抑制するような形状となっている。このようなスクレーパ部材９６が設けられていることにより、ドラム４２から各テープ９０、９２、９４が巻き戻されることにより当該ドラム４２から紙葉類が繰り出される際に、紙葉類の繰出方向において当該紙葉類の前端縁に切れ部分があり、この切れ部分により紙葉類の一部が、ドラム４２に巻かれた各テープ９０、９２、９４から外れてしまった場合でも、この紙葉類の外れた部分がスクレーパ部材９６と各テープ９０、９４との間に入り込んでしまうことを抑制することができるとともに、もし仮に紙葉類の外れた部分がスクレーパ部材９６と各テープ９０、９４との間に入り込んでしまってもこの外れた部分が案内ローラ５０と各テープ９０、９４との間に送り込まれることを抑制することができる。
【００９３】
ここで、スクレーパ部材９６は、当該スクレーパ部材９６に接触する各テープ９０、９４の少なくとも一方の側縁を覆うような形状となっている。より好ましくは、スクレーパ部材９６は、当該スクレーパ部材９６に接触する各テープ９０、９４の両側縁を覆うような形状となっている。また、スクレーパ部材９６は、当該スクレーパ部材９６に接触する各テープ９０、９４の断面形状を直線状から変形させるような形状となっている。
【００９４】
また、以上のような構成からなる本実施の形態による紙葉類処理機１０によれば、制御部３５は、第１検知部２２ａにより検知された紙葉類の切れ部分の位置に基づいて、当該第１検知部２２ａにより検知が行われた紙葉類の搬送先を紙葉類収納繰出装置（具体的には、一時保留部４０）とそれ以外の箇所との間で切り替えるよう搬送部２０の制御を行うようになっている。このように、紙葉類収納繰出装置に紙葉類が搬送される前に当該紙葉類の切れ部分の位置を第１検知部２２ａによって検知することにより、所定の位置に切れ部分があり紙葉類収納繰出装置から繰り出したときに出口部において破れてしまったり向きが大きく変わってしまったりするおそれがある紙葉類については当該紙葉類収納繰出装置に搬送しないようにすることによりこの紙葉類収納繰出装置の出口部分で紙葉類が滞留してしまうことを防止することができる。
【００９５】
とりわけ、紙葉類収納繰出装置が、複数の紙葉類を１枚ずつ巻き取るための帯状の各テープ９０、９２、９４の一端がその外周面に接続されたドラム４２を有するようなテープ式の紙葉類収納繰出装置である場合には、第１検知部２２ａにより検知された紙葉類のうち、ドラム４２から紙葉類が繰り出される際に各テープ９０、９２、９４を両面から挟み込んでしまうような折れの原因となる切れ部分が形成された紙葉類がテープ式の紙葉類収納繰出装置に送られることを防止することができるようになる。
【００９６】
なお、本実施の形態による紙葉類処理機１０において、制御部３５が上記の制御を行うにあたり、紙葉類の搬送先としての紙葉類収納繰出装置は、複数の紙葉類を１枚ずつ巻き取るための帯状の各テープ９０、９２、９４の一端がその外周面に接続されたドラム４２を有するようなテープ式の紙葉類収納繰出装置に限定されることはない。他の態様の紙葉類処理機１０において、制御部３５は、第１検知部２２ａにより検知された紙葉類の切れ部分の位置に基づいて、当該第１検知部２２ａにより検知が行われた紙葉類の搬送先をテープ式の紙葉類収納繰出装置以外の構成の紙葉類収納繰出装置（例えば、紙葉類収納繰出部３０、３２等の、紙葉類を積層状態で集積するスタッカ式の紙葉類収納繰出装置）とそれ以外の箇所との間で切り替えるよう搬送部２０の制御を行うようになっていてもよい。
【００９７】
また、本実施の形態の紙葉類処理機１０においては、上述したように、制御部３５は、搬送部２０による紙葉類の搬送方向において当該紙葉類の後端縁に切れ部分が存在しない場合には、第１検知部２２ａにより検知が行われた紙葉類を紙葉類収納繰出装置に搬送するよう搬送部２０を制御するようになっていてもよい。一方、制御部３５は、搬送部２０による紙葉類の搬送方向において当該紙葉類の後端縁に切れ部分が存在する場合には、第１検知部２２ａにより検知が行われた紙葉類を紙葉類収納繰出装置以外の箇所に搬送するよう搬送部２０を制御するようになっていてもよい。この場合、制御部３５は、搬送部２０による紙葉類の搬送方向において当該紙葉類の後端縁に切れ部分が存在する場合には、第１検知部２２ａにより検知が行われた紙葉類を、当該紙葉類の方向を変換するための方向変換部（具体的には、入出金部１４）に搬送するよう搬送部２０を制御するようになっている。ここで、方向変換部としての入出金部１４には、当該入出金部１４に送られた紙葉類を搬送部２０に繰り出す第２繰出機構１８が設けられており、搬送部２０から入出金部１４に送られた紙葉類が第２繰出機構１８により搬送部２０に戻されることにより当該紙葉類の方向が変換されるようになっている。
【００９８】
また、上述したように、制御部３５は、方向変換部としての入出金部１４から第２繰出機構１８により搬送部２０に繰り出された紙葉類を第１検知部２２ａに搬送し、当該第１検知部２２ａにより紙葉類の切れ部分を再び検知させ、搬送部２０による紙葉類の搬送方向において当該紙葉類の後端縁に切れ部分が存在しない場合には、第１検知部２２ａにより検知が行われた紙葉類を紙葉類収納繰出装置に搬送するよう搬送部２０を制御するようになっている。
【００９９】
また、制御部３５は、搬送部２０による紙葉類の搬送方向において当該紙葉類の後端縁に切れ部分が存在する場合には、第１検知部２２ａにより検知が行われた紙葉類を、紙葉類処理機１０の機体外に当該紙葉類を投出するための投出口が設けられた入出金部１４に搬送するよう搬送部２０を制御し、入出金部１４に送られた紙葉類は操作者により手動で方向が変換されるようになっていてもよい。
【０１００】
また、本実施の形態の紙葉類処理機１０においては、上述したように、制御部３５は、搬送部２０による紙葉類の搬送方向において当該紙葉類の後端縁に切れ部分が存在する場合でも、当該紙葉類の幅方向における切れ部分の位置が紙葉類収納繰出装置（具体的には、一時保留部４０）のドラム４２の軸方向における各テープ９０、９２、９４の位置と重なる場合には第１検知部２２ａにより検知が行われた紙葉類を紙葉類収納繰出装置に搬送するよう搬送部２０を制御するようになっていてもよい。一方、制御部３５は、搬送部２０による紙葉類の搬送方向において当該紙葉類の後端縁に切れ部分が存在する場合において、当該紙葉類の幅方向における切れ部分の位置が紙葉類収納繰出装置のドラム４２の軸方向における各テープ９０、９２、９４の位置と重ならない場合には第１検知部２２ａにより検知が行われた紙葉類を紙葉類収納繰出装置以外の箇所に搬送するよう搬送部２０を制御するようになっていてもよい。
【０１０１】
なお、本実施の形態による紙葉類処理機１０やこのような紙葉類処理機１０に設けられた紙葉類収納繰出装置（具体的には、一時保留部４０）は、上述したような態様に限定されることはなく、様々な変更を加えることができる。
【０１０２】
例えば、識別部２２において、搬送部２０により搬送される紙葉類の切れ部分を検知する第１検知部２２ａが設けられておらず、代わりに、上記の第２検知部２２ｂにより、搬送部２０により搬送される紙葉類の幅方向における所定箇所の位置（例えば、紙葉類の幅方向における中央部分の位置）が検知されるようになっていてもよい。このような場合は、制御部３５は、第２検知部２２ｂにより検知された紙葉類の幅方向における所定箇所の位置に基づいて、当該第２検知部２２ｂにより検知が行われた紙葉類の搬送先を紙葉類収納繰出装置（具体的には、一時保留部４０）とそれ以外の箇所との間で切り替えるよう搬送部２０の制御を行うようになる。より詳細には、制御部３５は、紙葉類の幅方向における所定箇所の位置（例えば、紙葉類の幅方向における中央部分の位置）が、紙葉類収納繰出装置としての一時保留部４０のドラム４２の軸方向における各テープ９０、９２、９４の位置と重なる場合には、第２検知部２２ｂにより検知が行われた紙葉類を一時保留部４０に搬送するよう搬送部２０を制御する。一方、制御部３５は、紙葉類の幅方向における所定箇所の位置（例えば、紙葉類の幅方向における中央部分の位置）が、一時保留部４０のドラム４２の軸方向における各テープ９０、９２、９４の位置と重ならない場合には、第２検知部２２ｂにより検知が行われた紙葉類を一時保留部４０以外の箇所（例えば、入出金部１４）に搬送するよう搬送部２０を制御する。
【０１０３】
ここで、本実施の形態の紙葉類処理機１０において操作者により入出金部１４に投入される紙葉類について、市場に出回る期間が長い場合には当該紙葉類が何度もその幅方向における中央部分の位置で折られることにより、この位置で切れ部分が生じている可能性がある。これに対し、紙葉類処理機１０の筐体１２内に投入された紙葉類について、識別部２２が紙葉類に形成された切れ部分自体を検出することができない場合でも、識別部２２に設けられた第２検知部２２ｂにより当該紙葉類の幅方向における中央部分の位置を検知することにより、紙葉類に形成された切れ部分の位置を推測することができるようになる。すなわち、第２検知部２２ｂにより、搬送部２０により搬送される紙葉類の幅方向における中央部分の位置を検知することにより、この位置に切れ部分が形成されているとみなすことにより当該紙葉類の搬送先を一時保留部４０および一時保留部４０以外の箇所に振り分けることができるようになる。言い換えると、識別部２２が紙葉類に形成された切れ部分自体を検出することができない場合でも、紙葉類の幅方向における中央部分の位置に切れ部分が形成されているとみなすことにより、このような幅方向における中央部分の位置に切れ部分が形成されている紙葉類のうち当該切れ部分が一時保留部４０のドラム４２の軸方向における各テープ９０、９２、９４の位置と重ならないような紙葉類が一時保留部４０に送られることを防止することができる。このことにより、各案内ローラ５０、５２の近傍において各テープ９０、９２、９４から紙葉類が放出される際に、各テープ９０、９２、９４から紙葉類が放出される箇所の近傍で紙葉類が破れてしまったり向きが大きく変わってしまったりするという問題が生じることを未然に防止することができるようになる。
【０１０４】
また、第２検知部２２ｂにより検知が行われた紙葉類が一時保留部４０ではなく入出金部１４に搬送されたときに、当該入出金部１４から第２繰出機構１８により搬送部２０に紙葉類を戻すようにしてもよい。ここで、入出金部１４から紙葉類を第２繰出機構１８により搬送部２０に繰り出す際に、当該紙葉類の幅方向における位置が変わる場合もあるので、搬送部２０に戻された紙葉類を第２検知部２２ｂにより再び検知したときに、紙葉類の幅方向における中央部分の位置が一時保留部４０のドラム４２の軸方向における各テープ９０、９２、９４の位置と重なるようになる場合もある。このような場合には、第２検知部２２ｂにより検知が行われた紙葉類を一時保留部４０に搬送するようにする。また、第２検知部２２ｂにより検知が行われた紙葉類が入出金部１４に搬送されたときに、操作者がこの入出金部１４から紙葉類を取り出し、当該紙葉類の幅方向における位置をずらしながら再び入出金部１４にこの紙葉類を投入することにより、第１繰出機構１６により当該紙葉類を搬送部２０に繰り出すようにしてもよい。このような動作を行ったときも、第１繰出機構１６により搬送部２０に繰り出された紙葉類について、その幅方向における位置が変わることにより、搬送部２０に戻された紙葉類を第２検知部２２ｂにより再び検知したときに、紙葉類の幅方向における中央部分の位置が一時保留部４０のドラム４２の軸方向における各テープ９０、９２、９４の位置と重なるようになる場合もある。
【０１０５】
また、本実施の形態による紙葉類処理機１０において紙幣の入金処理が行われる際に、識別部２２により識別された紙幣が一時保留部４０に送られることなく各紙葉類収納繰出部３０に直接収納されるようになっていてもよい。この場合、入出金部１４から第１繰出機構１６により搬送部２０に繰り出された紙幣が識別部２２により識別される際に、当該識別部２２に設けられた第３検知部２２ｃにより紙幣の表裏が検知され、制御部３５は、この第３検知部２２ｃにより検知された紙幣の表裏情報に基づいて、第３検知部２２ｃにより検知が行われた紙幣の搬送先を各紙葉類収納繰出部３０とそれ以外の箇所（例えば、入出金部１４）との間で切り替えるよう搬送部２０の制御を行うようになっていてもよい。より詳細には、紙葉類処理機１０により処理される紙幣に、米国で発行される１００ドル紙幣や大韓民国で発行される５万ウォン紙幣が含まれている場合に、第３検知部２２ｃを用いた上記の処理が行われるようになっている。１００ドル紙幣の表面には偽造防止のために帯状の３Ｄセキュリティリボンが形成されており、また、５万ウォン紙幣の表面にも偽造防止のために立体型の部分露出銀線が形成されている（例えば、特許第５５０８９９０号の図６（ａ）参照）。このような、その表面に３Ｄ構造の偽造防止部材が形成された紙幣が各紙葉類収納繰出部３０に積層状態で集積される際に、既に各紙葉類収納繰出部３０に集積されている紙幣のうち最上層の紙幣においてこの偽造防止部材が形成された面が上向きとなっている場合には、次の紙幣が当該紙葉類収納繰出部３０に集積されるときに、既に集積されている最上層の紙幣の偽造防止部材に引っ掛かってしまい当該紙幣を紙葉類収納繰出部３０に集積することができず詰まり等のトラブルが発生してしまうおそれがある。このため、搬送部２０から各紙葉類収納繰出部３０に送られるべき紙幣が識別部２２により識別されたときに、当該紙幣に形成された偽造防止部材が上向きとなっていることが第３検知部２２ｃにより検知された場合には、当該紙幣は各紙葉類収納繰出部３０に集積させず、例えば入出金部１４に送るようにする。また、この際に、入出金部１４に送られる紙幣における偽造防止部材が設けられた面は同じ向きであるため、入出金部１４で紙幣の集積不良が発生することはない。
【０１０６】
また、第３検知部２２ｃにより検知された紙幣が入出金部１４に送られた後、当該入出金部１４から第２繰出機構１８により搬送部２０に紙幣が戻されると、この紙幣の表裏が反転するようになる。このように、搬送部２０および入出金部１４により、第３検知部２２ｃにより検知が行われた紙幣の表裏を変換する表裏変換部が構成されている。制御部３５は、第３検知部２２ｃにより検知された紙幣の表裏の向きが所定の向きではない場合には、当該第３検知部２２ｃにより検知が行われた紙幣の表裏を表裏変換部（具体的には、搬送部２０および入出金部１４）により変換させるようこれらの搬送部２０および入出金部１４の制御を行う。そして、制御部３５は、表裏変換部により表裏が変換された紙幣を第３検知部２２ｃに搬送し、この第３検知部２２ｃにより紙幣の表裏を再び検知させ、第３検知部２２ｃにより検知された紙幣の表裏の向きが所定の向きとなった場合には、第３検知部２２ｃにより検知が行われた紙幣を各紙葉類収納繰出部３０に搬送するよう搬送部２０を制御する。このように、第３検知部２２ｃにより検知された紙幣の表裏の向きが所定の向きではない場合には（具体的には、各紙葉類収納繰出部３０に集積されたときに偽造防止部材が上向きとなってしまう場合には）、表裏変換部により紙幣の表裏を変換することによって、各紙葉類収納繰出部３０に集積されたときの紙幣の偽造防止部材を下向きとすることができるようになり、各紙葉類収納繰出部３０において紙幣の詰まり等のトラブルが発生することを防止することができるようになる。
【０１０７】
また、本実施の形態による紙葉類処理機１０に設けられた紙葉類収納繰出装置（具体的には、一時保留部）は、図２乃至図１５に示すような構成のものに限定されることはない。紙幣等の紙葉類を１枚ずつドラム等の回転体に収納するとともに当該回転体から紙葉類を１枚ずつ繰り出すようなテープ式の紙葉類収納繰出装置として、図２０および図２１に示すような構成の一時保留部４０ａを用いてもよい。図２０および図２１に示す一時保留部４０ａは、案内部８０ｐの構成が図２乃至図１５に示す一時保留部４０の案内部８０と異なるのみであり、他の構成部材については図２乃至図１５に示す一時保留部４０と略同一の構成となっている。このため、図２０および図２１に示す一時保留部４０ａを説明するにあたり、図２乃至図１５に示す一時保留部４０と同一の構成部材については同一の参照符号を付してその説明を省略する。
【０１０８】
図２０および図２１に示す一時保留部４０ａでは、その先端部分が３つのテープ９０、９２、９４の全てを覆うような案内部８０ｐがドラム４２の上方に設けられている。なお、図２０では、案内部８０ｐおよび各テープ９０、９２、９４の位置関係を見やすくするため、ドラム４２の図示を省略している。ここで、案内部８０ｐは、ドラム４２の軸４２ａと平行に延びる軸８１ｐを中心として回転自在となっている。そして、案内部８０ｐの自重によりこの案内部８０ｐの先端部分はドラム４２に巻かれた各テープ９０、９２、９４に接触するようになっている。なお、案内部８０ｐは、自重によりその先端部分がドラム４２に巻かれた各テープ９０、９２、９４に接触する代わりに、図示しないバネ等の付勢手段により案内部８０ｐの先端部分がドラム４２側に向かって付勢されるようになっていてもよい。このような構成の案内部８０ｐが各テープ９０、９２、９４に対向してこれらのテープ９０、９２、９４の表面に接触するよう設けられているため、ドラム４２から各テープ９０、９２、９４が巻き戻されることによりドラム４２から紙葉類が繰り出される際に紙葉類の折られた部分が各テープ９０、９２、９４の表面に乗ろうとしてもこの紙葉類の折られた部分が案内部８０ｐに接触することにより当該部分が各テープ９０、９２、９４の表面に乗ることが抑制され、このことにより、折られた紙葉類が各テープ９０、９２、９４を両面から挟み込んでしまうことが防止されるようになる。
【０１０９】
また、図２０に示すように、案内部８０ｐの先端部分は、ドラム４２と案内ローラ５６との間で移動する各テープ９０、９４の下方に配置されており、この案内部８０ｐの先端部分は、ドラム４２と案内ローラ５６との間で移動する各テープ９０、９４に対してわずかな隙間を隔てて対向するようになっている。このように、図２０および図２１に示す一時保留部４０ａでは、ドラム４２が図２１における時計回りの方向に回転して当該ドラム４２から紙葉類が繰り出される際に、案内ローラ５６からドラム４２に送られる各テープ９０、９４について、その両側にそれぞれ案内部８０ｐおよび案内部８５が配設されるようになる。この場合には、ドラム４２から紙葉類が繰り出される際に紙葉類が折られた場合でも、この折られた紙葉類が各テープ９０、９４を両面から挟み込んでしまうことが各案内部８０ｐ、８５によってより一層確実に防止されるため、各テープ９０、９４から紙葉類が放出される箇所の近傍（具体的には、案内ローラ５０、５２）で紙葉類が破れてしまったり向きが大きく変わってしまったりすることをより一層確実に抑制することができる。
【０１１０】
また、紙幣等の紙葉類を１枚ずつドラム等の回転体に収納するとともに当該回転体から紙葉類を１枚ずつ繰り出すようなテープ式の紙葉類収納繰出装置の更に別の構成として、図２２に示すような構成の一時保留部４０ｂを用いてもよい。図２２に示す一時保留部４０ｂは、各テープ９０、９２、９４に対応して複数（具体的には、３つ）の案内部８０ｑが設けられている点が図２乃至図１５に示す一時保留部４０の案内部８０と異なるのみであり、他の構成部材については図２乃至図１５に示す一時保留部４０と略同一の構成となっている。このため、図２２に示す一時保留部４０ｂを説明するにあたり、図２乃至図１５に示す一時保留部４０と同一の構成部材については同一の参照符号を付してその説明を省略する。
【０１１１】
図２２に示す一時保留部４０ｂでは、３つのテープ９０、９２、９４に対応して３つの案内部８０ｑがドラム４２の上方に設けられている。なお、図２２では、各案内部８０ｑおよび各テープ９０、９２、９４の位置関係を見やすくするため、ドラム４２の図示を省略している。ここで、各案内部８０ｑは、ドラム４２の軸４２ａと平行に延びる軸８１ｑを中心として回転自在となっている。そして、各案内部８０ｑの自重によりこれらの案内部８０ｑの先端部分はそれぞれドラム４２に巻かれた各テープ９０、９２、９４に接触するようになっている。なお、各案内部８０ｑは、自重によりその先端部分がそれぞれドラム４２に巻かれた各テープ９０、９２、９４に接触する代わりに、図示しないバネ等の付勢手段により各案内部８０ｑの先端部分がそれぞれドラム４２側に向かって付勢されるようになっていてもよい。このような構成の各案内部８０ｑが各テープ９０、９２、９４に対向してこれらのテープ９０、９２、９４の表面に接触するよう設けられているため、ドラム４２から各テープ９０、９２、９４が巻き戻されることによりドラム４２から紙葉類が繰り出される際に紙葉類の折られた部分が各テープ９０、９２、９４の表面に乗ろうとしてもこの紙葉類の折られた部分が各案内部８０ｑに接触することにより当該部分が各テープ９０、９２、９４の表面に乗ることが抑制され、このことにより、折られた紙葉類が各テープ９０、９２、９４を両面から挟み込んでしまうことが防止されるようになる。
【０１１２】
また、図２２に示すように、各テープ９０、９４に対応する各案内部８０ｑの先端部分は、ドラム４２と案内ローラ５６との間で移動する各テープ９０、９４の下方に配置されており、これらの案内部８０ｑの先端部分は、ドラム４２と案内ローラ５６との間で移動する各テープ９０、９４に対してわずかな隙間を隔てて対向するようになっている。このように、図２２に示す一時保留部４０ｂでは、図２０および図２１に示す一時保留部４０ａと同様に、ドラム４２から紙葉類が繰り出される際に、案内ローラ５６からドラム４２に送られる各テープ９０、９４について、その両側にそれぞれ案内部８０ｑおよび案内部８５が配設されるようになる。この場合には、ドラム４２から紙葉類が繰り出される際に紙葉類が折られた場合でも、この折られた紙葉類が各テープ９０、９４を両面から挟み込んでしまうことが各案内部８０ｑ、８５によってより一層確実に防止されるため、各テープ９０、９４から紙葉類が放出される箇所の近傍（具体的には、案内ローラ５０、５２）で紙葉類が破れてしまったり向きが大きく変わってしまったりすることをより一層確実に抑制することができる。
【０１１３】
また、紙幣等の紙葉類を１枚ずつドラム等の回転体に収納するとともに当該回転体から紙葉類を１枚ずつ繰り出すようなテープ式の紙葉類収納繰出装置の更に別の構成として、図２３に示すような構成の一時保留部４０ｃを用いてもよい。図２３に示す一時保留部４０ｃは、各テープ９０、９４に対応して複数の案内部８０ｒが追加的に設けられている点が図２乃至図１５に示す一時保留部４０と異なるのみであり、他の構成部材については図２乃至図１５に示す一時保留部４０と略同一の構成となっている。このため、図２３に示す一時保留部４０ｃを説明するにあたり、図２乃至図１５に示す一時保留部４０と同一の構成部材については同一の参照符号を付してその説明を省略する。
【０１１４】
図２３に示す一時保留部４０ｃでは、図２乃至図１５に示す一時保留部４０と同様に、中央のテープ９２に対応して案内部８０がドラム４２の上方に設置されており、この案内部８０は、ドラム４２の軸４２ａと平行に延びる軸８１を中心として回転自在となっている。そして、案内部８０の自重によりこの案内部８０の先端部分はドラム４２に巻かれたテープ９２に接触するようになっている。また、案内部８０は、ドラム４２の軸方向における位置（すなわち、図２３の紙面に直交する方向における位置）がテープ９２に対向する位置となっている。また、図２３に示す一時保留部４０ｃでは、両側の各テープ９０、９４に対応して２つの案内部８０ｒがドラム４２の上方に設けられている（なお、図２３では１つの案内部８０ｒのみが図示されているが、実際には図２３の紙面に直交する方向に沿って並ぶよう２つの案内部８０ｒが設けられている）。これらの案内部８０ｒは、軸８１よりも図２３における左側に設けられた軸８１ｒを中心として回転自在となっている。そして、各案内部８０ｒの自重によりこれらの案内部８０ｒの先端部分はそれぞれドラム４２に巻かれた各テープ９０、９４に接触するようになっている。なお、各案内部８０ｒは、自重によりその先端部分がそれぞれドラム４２に巻かれた各テープ９０、９４に接触する代わりに、図示しないバネ等の付勢手段により各案内部８０ｒの先端部分がそれぞれドラム４２側に向かって付勢されるようになっていてもよい。このような構成の各案内部８０ｒが各テープ９０、９４に対向してこれらのテープ９０、９４の表面に接触するよう設けられているため、ドラム４２から各テープ９０、９４が巻き戻されることによりドラム４２から紙葉類が繰り出される際に紙葉類の折られた部分が各テープ９０、９４の表面に乗ろうとしてもこの紙葉類の折られた部分が各案内部８０ｒに接触することにより当該折られた部分が各テープ９０、９４の表面に乗ることが抑制され、このことにより、折られた紙葉類が各テープ９０、９４を両面から挟み込んでしまうことが防止されるようになる。
【０１１５】
また、紙幣等の紙葉類を１枚ずつドラム等の回転体に収納するとともに当該回転体から紙葉類を１枚ずつ繰り出すようなテープ式の紙葉類収納繰出装置の更に別の構成として、図２４に示すような構成のものを用いてもよい。なお、図２４は、本発明に係る紙葉類収納繰出装置１４０の構成を示す側面図であり、図２５は、比較例としての、従来技術の紙葉類収納繰出装置１４０ａの構成を示す側面図である。
【０１１６】
図２４に示すように、本発明に係る紙葉類収納繰出装置１４０は、一対の帯状のテープ１５０、１５２の間に紙葉類を挟み込んだ状態でこれらの一対のテープ１５０、１５２をドラム１４２に巻き取ることによって複数の紙葉類を１枚ずつドラム１４２に収納するとともに、ドラム１４２から一対のテープ１５０、１５２を巻き戻すことによって紙葉類を１枚ずつドラム１４２から巻き出す方式のテープ式のものからなる。具体的には、紙葉類収納繰出装置１４０は、回転自在となっているドラム１４２と、その一端がそれぞれドラム１４２の外周面に接続された一対の帯状のテープ１５０、１５２と、回転自在となっており一対の帯状のテープ１５０、１５２のうち一方のテープ１５０の他端がその外周面に接続された第１のテープリール１４４と、回転自在となっており一対の帯状のテープ１５０、１５２のうち他方のテープ１５２の他端がその外周面に接続された第２のテープリール１４６とを有している。
【０１１７】
ドラム１４２は軸１４２ａを中心として図２４における時計回りの方向および反時計回りの方向の両方に回転することができるようになっている。具体的には、紙葉類収納繰出装置１４０の外部から出入り口１５８を介して当該紙葉類収納繰出装置１４０の内部に送られた紙葉類をドラム１４２に収納する際には、当該ドラム１４２は図２４における反時計回りの方向に回転し、出入り口１５８から一対の帯状のテープ１５０、１５２の間に送られた紙葉類がこれらのテープ１５０、１５２により挟み込まれた状態で一対のテープ１５０、１５２ごと紙葉類がドラム１４２に巻き取られるようになる。一方、ドラム１４２に収納された紙葉類を、出入り口１５８を介して紙葉類収納繰出装置１４０の外部に繰り出す際には、当該ドラム１４２は図２４における時計回りの方向に回転し、ドラム１４２から一対のテープ１５０、１５２を巻き戻すことによってこれらの一対のテープ１５０、１５２の間に挟まれた状態にある紙葉類が解放されて出入り口１５８に送られるようになる。
【０１１８】
また、図２４に示すように、ドラム１４２を回転駆動させる駆動モータ１４８が設けられている。より詳細には、駆動モータ１４８には回転軸を介してプーリ（図示せず）が接続されており、このプーリには駆動ベルト（図示せず）が掛け渡されている。また、ドラム１４２の軸１４２ａにもプーリ（図示せず）が接続されており、このプーリに上記の駆動ベルトが掛け渡されている。このことにより、駆動モータ１４８が駆動ベルトを回転駆動させると、当該駆動ベルトを介して駆動モータ１４８による回転駆動力が軸１４２ａに伝達され、ドラム１４２が回転駆動されるようになる。
【０１１９】
第１のテープリール１４４の外周面には、一対の帯状のテープ１５０、１５２のうち一方のテープ１５０の他端が接続されており、当該第１のテープリール１４４にテープ１５０が巻かれるようになっている。また、第１のテープリール１４４は軸１４４ａを中心として図２４における時計回りの方向および反時計回りの方向の両方に回転することができるようになっている。ここで、第１のテープリール１４４が図２４における反時計回りの方向に回転することにより、テープ１５０が第１のテープリール１４４に巻回されるようになり、一方、第１のテープリール１４４が図２４における時計回りの方向に回転することにより、第１のテープリール１４４に巻き取られたテープ１５０が巻き戻されるようになる。
【０１２０】
第２のテープリール１４６の外周面には、一対の帯状のテープ１５０、１５２のうち他方のテープ１５２の他端が接続されており、当該第２のテープリール１４６にテープ１５２が巻かれるようになっている。また、第２のテープリール１４６は軸１４６ａを中心として図２４における時計回りの方向および反時計回りの方向の両方に回転することができるようになっている。ここで、第２のテープリール１４６が図２４における時計回りの方向に回転することにより、テープ１５２が第２のテープリール１４６に巻回されるようになり、一方、第２のテープリール１４６が図２４における反時計回りの方向に回転することにより、第２のテープリール１４６に巻き取られたテープ１５２が巻き戻されるようになる。
【０１２１】
また、紙葉類収納繰出装置１４０の出入り口１５８の近傍において、テープ１５０を案内する案内ローラ１５４およびテープ１５２を案内する案内ローラ１５６がわずかな隙間を隔てて互いに対向するよう配置されている。紙葉類収納繰出装置１４０の外部から出入り口１５８を介して当該紙葉類収納繰出装置１４０の内部に送られた紙葉類は、これらの案内ローラ１５４、１５６の間を通過した後、一対のテープ１５０、１５２に挟まれてドラム１４２に巻き取られるようになっている。
【０１２２】
また、図２４に示すように、ドラム１４２の下方には可動ガイド１７０が設けられている。この可動ガイド１７０は、案内ローラ１５６の軸と同軸で設けられた軸１７１を中心として回転するようになっており、また、当該軸１７１を中心として可動ガイド１７０を図２４における反時計回りの方向に付勢するバネ等の付勢手段が設けられている。このような付勢手段により可動ガイド１７０が軸１７１を中心として図２４における反時計回りの方向に付勢されるようになる。このような可動ガイド１７０が設けられていることによって、紙葉類収納繰出装置１４０の外部から出入り口１５８を介して当該紙葉類収納繰出装置１４０の内部に送られた紙葉類が案内ローラ１５４、１５６の間を通過した後、可動ガイド１７０により案内されることにより一対のテープ１５０、１５２とともにドラム１４２に適切に巻かれるようになる。
【０１２３】
また、図２４に示すように、可動ガイド１７０には、一対のテープ１５０、１５２に対向して案内部１８０が設けられている。このような案内部１８０により、ドラム１４２から紙葉類が繰り出される際に紙葉類が折られた場合でもこの折られた紙葉類が各テープ１５０、１５２を両面から挟み込んでしまうことを防止するようになっている。ここで、案内部１８０は、ドラム１４２の軸方向における位置（すなわち、図２４の紙面に直交する位置）が一対のテープ１５０、１５２（より厳密には、テープ１５２）に対向する位置となっている。図２４においてこのような案内部１８０を斜線で示している。
【０１２４】
案内部１８０は、ドラム１４２から紙葉類が繰り出される方向において当該ドラム１４２の軸方向における幅の大きさが一定となるようその両端縁がドラム１４２の周方向に沿って延びる形状となっている。なお、案内部１８０の形状の他の態様として、ドラム１４２から紙葉類が繰り出される方向に進むに従ってテープ１５０、１５２の幅方向外側に広がるような形状となっていてもよい。また、案内部１８０は、可動ガイド１７０における紙葉類を案内する案内面からドラム１４２側に向かって突出するよう配設されており、案内部１８０の案内面は、ドラム１４２に巻かれた一対のテープ１５０、１５２のうちテープ１５２の表面と接触するよう各テープ１５０、１５２に対向するようになる。とりわけ、案内部１８０が取り付けられた可動ガイド１７０は、ドラム１４２に収納される紙葉類の量に応じて軸１７１を中心として揺動自在となっており、バネ等の付勢手段によって可動ガイド１７０は軸１７１を中心として図２４における反時計回りの方向に押圧されるため、ドラム１４２に収納される紙葉類の量が多い場合でも少ない場合でも、案内部１８０は、ドラム１４２に巻かれた一対のテープ１５０、１５２のうちテープ１５２の表面に接触するようになる。このような構成の案内部１８０が一対のテープ１５０、１５２に対向して設けられているため、ドラム１４２から一対のテープ１５０、１５２が巻き戻されることによりドラム１４２から紙葉類が繰り出される際に紙葉類の折られた部分が各テープ１５０、１５２の表面に乗ろうとしてもこの紙葉類の折られた部分が案内部１８０の側面に接触することにより当該部分が各テープ１５０、１５２の表面に乗ることが抑制され、このことにより、折られた紙葉類が各テープ１５０、１５２を両面から挟み込んでしまうことが防止されるようになる。
【０１２５】
一方、図２５に示すように、比較例としての従来技術の紙葉類収納繰出装置１４０ａには、このような案内部１８０が設けられていない。このように、案内部１８０が設けられていないような従来技術の紙葉類収納繰出装置１４０ａでは、ドラム１４２から一対のテープ１５０、１５２が巻き戻されることにより当該ドラム１４２から紙葉類が繰り出される際に、紙葉類の繰出方向において当該紙葉類の前端縁に切れ部分があり、この切れ部分により紙葉類の一部が折れてしまった場合には、この折られた部分がテープ１５０やテープ１５２の裏面に接触することにより、折られた紙葉類がテープ１５０やテープ１５２を両面から挟み込んでしまう場合がある。このような場合には、各案内ローラ１５４、１５６の近傍において一対のテープ１５０、１５２から紙葉類が放出される際に、紙葉類におけるテープ１５０やテープ１５２に折り込まれた部分がこれらのテープ１５０、１５２と案内ローラ１５４や案内ローラ１５６との間に挟まれることにより、紙葉類がその切れた部分から破れてしまったり向きが大きく変わってしまったりするおそれがある。
【０１２６】
このように、図２４に示すような紙葉類収納繰出装置１４０によれば、図２乃至図１５に示す一時保留部４０と同様に、ドラム１４２から一対のテープ１５０、１５２が巻き戻されることにより当該ドラム１４２から紙葉類が繰り出される際に当該紙葉類がテープ１５０やテープ１５２を両面から挟み込むことを防止するよう紙葉類を案内する案内部１８０が設けられている。このような案内部１８０が設けられていることにより、ドラム１４２から紙葉類が繰り出される際に紙葉類が折られた場合でも、この折られた紙葉類がテープ１５０やテープ１５２を両面から挟み込んでしまうことが案内部１８０によって防止されるため、一対のテープ１５０、１５２から紙葉類が放出される箇所の近傍（具体的には、案内ローラ１５４、１５６）で紙葉類が破れてしまったり向きが大きく変わってしまったりすることを抑制することができる。
【０１２７】
また、紙幣等の紙葉類を１枚ずつドラム等の回転体に収納するとともに当該回転体から紙葉類を１枚ずつ繰り出すようなテープ式の紙葉類収納繰出装置の更に別の構成として、図２６乃至図２８に示すような構成のものを用いてもよい。ここで、図２６および図２７は、更に別の変形例に係る紙葉類収納繰出装置２４０の構成を示す側面図であり、図２８は、図２６や図２７に示す紙葉類収納繰出装置２４０の構成を示す斜視図である。なお、図２６では、ドラム２４２にテープ２５０が巻かれていないときの状態が示されており、図２７では、テープリール２４４から巻き出されたテープ２５０が全てドラム２４２に巻き取られたときの状態が示されている。また、図２９および図３０は、比較例としての従来技術の紙葉類収納繰出装置２４０ａの構成を示す側面図であり、図３１は、図２９や図３０に示す紙葉類収納繰出装置２４０ａの構成を示す斜視図である。なお、図２９では、ドラム２４２にテープ２５０が巻かれていないときの状態が示されており、図３０では、テープリール２４４から巻き出されたテープ２５０が全てドラム２４２に巻き取られたときの状態が示されている。
【０１２８】
図２６乃至図２８に示すように、紙葉類収納繰出装置２４０は、回転自在となっているドラム２４２と、その一端がそれぞれドラム２４２の外周面に接続された２本の帯状のテープ２５０と、回転自在となっており各テープ２５０の他端がその外周面に接続されたテープリール２４４とを有している。ここで、図２８に示すように、２本のテープ２５０は、ドラム２４２の軸２４２ａの延びる方向に沿って並ぶよう配置されている。
【０１２９】
ドラム２４２は軸２４２ａを中心として図２６および図２７における時計回りの方向および反時計回りの方向の両方に回転することができるようになっている。具体的には、紙葉類収納繰出装置２４０の外部から出入り口２５８を介して当該紙葉類収納繰出装置２４０の内部に送られた紙葉類をドラム２４２に収納する際には、当該ドラム２４２は図２６および図２７における反時計回りの方向に回転し、ドラム２４２の近傍に送られた紙葉類が各テープ２５０とともにドラム２４２に巻き取られるようになる。一方、ドラム２４２に収納された紙葉類を紙葉類収納繰出装置２４０の外部に繰り出す際には、ドラム２４２は図２６および図２７における時計回りの方向に回転し、ドラム２４２から各テープ２５０を巻き戻すことによってこれらの各テープ２５０から紙葉類が解放されて出入り口２５８から紙葉類収納繰出装置２４０の外部に送られるようになる。
【０１３０】
図２６および図２７に示すように、紙葉類収納繰出装置２４０には、各テープ２５０を案内するための案内ローラ２５２、２５４、２５６が設けられており、これらの案内ローラ２５２、２５４、２５６により、ドラム２４２とテープリール２４４との間で各テープ２５０が案内されるようになっている。ここで、案内ローラ２５４および案内ローラ２５６は互いに対向して配置されており、これらの案内ローラ２５４および案内ローラ２５６の間を各テープ２５０が通るようになっている。また、紙葉類収納繰出装置２４０には、出入り口２５８を介して当該紙葉類収納繰出装置２４０の外部から内部に送られた紙葉類をドラム２４２の近傍まで搬送するための循環ベルト２６０が設けられており、当該循環ベルト２６０は各プーリ２６２、２６４、２６６に掛け渡されるようになっている。
【０１３１】
また、図２６および図２７に示すように、紙葉類収納繰出装置２４０において、ドラム２４２の周縁部には（具体的には、図２６および図２７におけるドラム２４２の左方には）第１可動ガイド２７０が設けられている。この第１可動ガイド２７０は、循環ベルト２６０が掛け渡されたプーリ２６６の軸と同軸で設けられた軸２７１を中心として回転するようになっており、また、軸２７１を中心として第１可動ガイド２７０を図２６および図２７における反時計回りの方向に付勢するバネ等の付勢手段が設けられている。また、第１可動ガイド２７０には、ドラム２４２に巻かれた紙葉類を当該ドラム２４２の軸２４２ａ側に向かって押圧する複数のベアリング２７４が設けられている（図２６乃至図２８参照）。バネ等の付勢手段により第１可動ガイド２７０が軸２７１を中心として図２６および図２７における反時計回りの方向に付勢されることにより、各ベアリング２７４が図２６および図２７における右方向に押圧され、このことによりドラム２４２に巻かれた紙葉類が各ベアリング２７４によりこのドラム２４２の軸２４２ａ側に向かって押圧されるようになる。また、バネ等の付勢手段により第１可動ガイド２７０が軸２７１を中心として図２６および図２７における反時計回りの方向に付勢されるようになっているため、ドラム２４２に巻き取られた紙葉類が当該ドラム２４２から巻き戻されることにより各テープ２５０の外部径が小さくなっても各ベアリング２７４は常に紙葉類に接触して当該紙葉類を押圧するようになる。
【０１３２】
また、図２６および図２７に示すように、紙葉類収納繰出装置２４０において、ドラム２４２の上方には第２可動ガイド２７２が第１可動ガイド２７０とわずかな隙間を隔てて対向するよう配置されており、この第２可動ガイド２７２の先端部分に案内ローラ２５４が設けられている。この第２可動ガイド２７２は第１可動ガイド２７０に固定されており、軸２７１を中心として第１可動ガイド２７０と同期して回転するようになっている。ここで、紙葉類収納繰出装置２４０の外部から出入り口２５８を介して当該紙葉類収納繰出装置２４０の内部に送られた紙葉類は、循環ベルト２６０と第２可動ガイド２７２との間の隙間を通るよう案内され、その後、第１可動ガイド２７０と第２可動ガイド２７２との間の隙間を通るよう案内される。そして、第１可動ガイド２７０と第２可動ガイド２７２との間の隙間を通るよう紙葉類が案内された後、当該紙葉類は各テープ２５０によりドラム２４２に巻き取られるようになる。また、第１可動ガイド２７０に設けられた案内ローラ２５６および第２可動ガイド２７２に設けられた案内ローラ２５４は互いに相手の案内ローラに向かって押圧されるようになっており、第１可動ガイド２７０と第２可動ガイド２７２との間の隙間を通ってドラム２４２に送られるべき紙葉類や当該ドラム２４２から巻き戻された紙葉類は各案内ローラ２５４、２５６の間に形成されたニップ部を通過するようになっている。
【０１３３】
図２６乃至図２８に示す紙葉類収納繰出装置２４０では、ドラム２４２が図２６および図２７における時計回りの方向に回転して当該ドラム２４２から紙葉類が繰り出される際に紙葉類が折られた場合でもこの折られた紙葉類が各テープ２５０を両面から挟み込んでしまうことを防止するための案内部２８０が設けられている。ここで、図２８に示すように、ドラム２４２の軸方向に沿って並ぶよう２本のテープ２５０が設けられており、案内部２８０は各テープ２５０に対応して２つ設けられている。より詳細には、図２８に示すように、各案内部２８０は、ドラム２４２の軸方向における位置（すなわち、図２８の左右方向における位置）が各テープ２５０にそれぞれ対向する位置となっている。図２６および図２７においてこのような案内部２８０を斜線で示している。
【０１３４】
図２８に示すように、各案内部２８０は、ドラム２４２から紙葉類が繰り出される方向においてドラム２４２の軸方向における幅（すなわち、図２８の左右方向における幅）の大きさが一定となるようその両端縁がドラム２４２の周方向に沿って延びる形状となっている。また、各案内部２８０は、第１可動ガイド２７０における紙葉類を案内する案内面２７０ａからドラム２４２側に向かって突出するよう配設されており、各案内部２８０の案内面２８０ａは、ドラム２４２に巻かれた各テープ２５０の表面とわずかな隙間を隔ててこれらのテープ２５０に対向するようになる。とりわけ、各案内部２８０が取り付けられた第１可動ガイド２７０は、ドラム２４２に収納される紙葉類の量に応じて軸２７１を中心として揺動自在となっており、この第１可動ガイド２７０に設けられた各ベアリング２７４がドラム２４２に巻かれた紙葉類に当接するようバネ等の付勢手段によって当該第１可動ガイド２７０は軸２７１を中心として図２６および図２７における反時計回りの方向に押圧されるため、ドラム２４２に収納される紙葉類の量が多い場合でも少ない場合でも、各案内部２８０の案内面２８０ａとドラム２４２に巻かれた各テープ２５０の表面との間にわずかな隙間が形成されるようになる。このような構成の各案内部２８０が各テープ２５０にそれぞれ対向してこれらのテープ２５０との間にわずかな隙間を形成するよう設けられているため、ドラム２４２から各テープ２５０が巻き戻されることによりドラム２４２から紙葉類が繰り出される際に紙葉類の折られた部分が各テープ２５０の表面に乗ろうとしてもこの紙葉類の折られた部分が案内部２８０の側面に接触することにより当該部分が各テープ２５０の表面に乗ることが抑制され、このことにより、折られた紙葉類が各テープ２５０を両面から挟み込んでしまうことが防止されるようになる。
【０１３５】
一方、図２９乃至図３１に示すように、比較例としての従来技術の紙葉類収納繰出装置２４０ａには、このような案内部２８０が設けられていない。このように、案内部２８０が設けられていないような従来技術の紙葉類収納繰出装置２４０ａでは、ドラム２４２から各テープ２５０が巻き戻されることにより当該ドラム２４２から紙葉類が繰り出される際に、紙葉類の繰出方向において当該紙葉類の前端縁に切れ部分があり、この切れ部分により紙葉類の一部が折れてしまった場合には、この折られた部分が各テープ２５０の裏面に接触することにより、折られた紙葉類が各テープ２５０を両面から挟み込んでしまう場合がある。このような場合には、案内ローラ２５２の近傍において各テープ２５０から紙葉類が放出される際に、紙葉類におけるテープ２５０に折り込まれた部分がこのテープ２５０と案内ローラ２５２との間に挟まれることにより、紙葉類がその切れた部分から破れてしまったり向きが大きく変わってしまったりするおそれがある。
【０１３６】
このように、図２６乃至図２８に示すような紙葉類収納繰出装置２４０によれば、図２乃至図１５に示す一時保留部４０と同様に、ドラム２４２から各テープ２５０が巻き戻されることにより当該ドラム２４２から紙葉類が繰り出される際に当該紙葉類が各テープ２５０を両面から挟み込むことを防止するよう紙葉類を案内する案内部２８０が設けられている。このような案内部２８０が設けられていることにより、ドラム２４２から紙葉類が繰り出される際に紙葉類が折られた場合でも、この折られた紙葉類が各テープ２５０を両面から挟み込んでしまうことが案内部２８０によって防止されるため、各テープ２５０から紙葉類が放出される箇所の近傍（具体的には、案内ローラ２５２）で紙葉類が破れてしまったり向きが大きく変わってしまったりすることを抑制することができる。
【符号の説明】
【０１３７】
１０      紙葉類処理機
１２      筐体
１４      入出金部（方向変換部）
１４ａ    仕切部材
１６      第１繰出機構
１８      第２繰出機構
２０      搬送部
２０ａ    循環ベルト
２０ｂ    プーリ
２０ｃ    モータ
２０ｄ    ピンチローラ
２２      識別部
２２ａ    第１検知部
２２ｂ    第２検知部
２２ｃ    第３検知部
２４      幅方向位置合わせ部
２６      偽券収納部
３０、３２  紙葉類収納繰出部（集積部）
３１、３３  繰出機構
３５      制御部
３６      操作表示部
３７      記憶部
３８      通信インターフェース部
４０、４０ａ、４０ｂ、４０ｃ  一時保留部（紙葉類収納繰出装置）
４２      ドラム（回転体）
４２ａ    軸
４２ｂ    プーリ
５０、５２、５４、５６  案内ローラ
５７      支持板
５８      テープリール
５８ａ    軸
５８ｂ    トルクリミッタ
５８ｃ    プーリ
６０      検知板
６０ａ    貫通穴
６２      フォトインタラプタ
６４      駆動モータ
６４ａ    プーリ
６５、６６、６７、６８  案内ローラ
６９      駆動ベルト
８０、８０ｐ、８０ｑ、８０ｒ  案内部
８１、８１ｐ、８１ｑ、８１ｒ  軸
８２      可動ガイド
８３      軸
８４      ベアリング
８５      案内部
８５ａ    案内面
８５ｂ    側面
８５ｃ    側縁部
８６      追加案内部
８６ａ    案内面
８９      バネ
９０、９２、９４  テープ（巻取部材）
９６      スクレーパ部材（巻取部材案内部）
９６ａ    軸
９６ｂ、９６ｃ  先端部分
９７      スクレーパ部材（巻取部材案内部）
９７ａ    軸
９７ｂ    先端部分
９８      スクレーパ部材（巻取部材案内部）
９８ａ    軸
９８ｂ、９８ｃ  先端部分
９９      ブラシ部材
１４０、１４０ａ  紙葉類収納繰出装置
１４２    ドラム（回転体）
１４２ａ  軸
１４４    第１のテープリール
１４４ａ  軸
１４６    第２のテープリール
１４６ａ  軸
１４８    駆動モータ
１５０、１５２  テープ（巻取部材）
１５４、１５６    案内ローラ
１５８    出入り口
１７０    可動ガイド
１７１    軸
１８０    案内部
２４０、２４０ａ  紙葉類収納繰出装置
２４２    ドラム（回転体）
２４２ａ  軸
２４４    テープリール
２５０    テープ（巻取部材）
２５２、２５４、２５６  案内ローラ
２５８    出入り口
２６０    循環ベルト
２６２、２６４、２６６  プーリ
２７０    第１可動ガイド
２７０ａ  案内面
２７１    軸
２７２    第２可動ガイド
２７４    ベアリング
２８０    案内部
２８０ａ  案内面
【図１】
0006399845.tif 000002
【図２】
0006399845.tif 000003
【図３】
0006399845.tif 000004
【図４】
0006399845.tif 000005
【図５】
0006399845.tif 000006
【図６】
0006399845.tif 000007
【図７】
0006399845.tif 000008
【図８】
0006399845.tif 000009
【図９】
0006399845.tif 000010
【図１０】
0006399845.tif 000011
【図１１】
0006399845.tif 000012
【図１２】
0006399845.tif 000013
【図１３】
0006399845.tif 000014
【図１４】
0006399845.tif 000015
【図１５】
0006399845.tif 000016
【図１６】
0006399845.tif 000017
【図１７】
0006399845.tif 000018
【図１８】
0006399845.tif 000019
【図１９】
0006399845.tif 000020
【図２０】
0006399845.tif 000021
【図２１】
0006399845.tif 000022
【図２２】
0006399845.tif 000023
【図２３】
0006399845.tif 000024
【図２４】
0006399845.tif 000025
【図２５】
0006399845.tif 000026
【図２６】
0006399845.tif 000027
【図２７】
0006399845.tif 000028
【図２８】
0006399845.tif 000029
【図２９】
0006399845.tif 000030
【図３０】
0006399845.tif 000031
【図３１】
0006399845.tif 000032
【図３２】
0006399845.tif 000033
【図３３】
0006399845.tif 000034